(57)【要約】【課題】カーラに対する押圧カフ及びセンシングカフのそれぞれの位置ずれを抑制できるカフユニット、カフユニットの製造方法、及び血圧測定装置を提供すること。【解決手段】積層され、それぞれが流体により膨張する複数の空気袋８１を含み、カーラ５に接合される押圧カフ７１と、流体により膨張する１つの空気袋９１、及び空気袋９１に形成され、前記空気袋９１に隣接する空気袋８１に接合される接合代９４を含むセンシングカフ７３と、備える。【選択図】      図８
2020146394.tif 000002
【特許請求の範囲】
【請求項１】
積層され、それぞれが流体により膨張する複数の第１袋状構造体を含み、カーラに接合される押圧カフと、
流体により膨張する１つの第２袋状構造体、及び前記第２袋状構造体に形成され、前記第２袋状構造体に隣接する前記第１袋状構造体に接合される接合代を含むセンシングカフと、
を備えるカフユニット。
【請求項２】
前記第１袋状構造体は、一方向に長い形状に構成され、
前記第２袋状構造体は、一方向に長い形状に構成され、
前記接合代は、前記第２袋状構造体の長手方向に沿う外縁部に形成され、前記第１袋状構造体の長手方向に沿う外縁部に接合される
請求項１に記載のカフユニット。
【請求項３】
前記押圧カフ及び前記センシングカフは、前記カーラの内周面にならって湾曲する
請求項１に記載のカフユニット。
【請求項４】
前記押圧カフ及び前記センシングカフの間に配置され、前記押圧カフ及び前記センシングカフに接合される背板を備える、請求項１に記載のカフユニット。
【請求項５】
カーラの押圧カフが接合される面に対応する曲面に形成された載置面を有する冶具の前記載置面に、前記押圧カフを含む第１構造体を配置して前記載置面に対する前記第１構造体の位置決めをし、
前記第１構造体上に、センシングカフを含む第２構造体を配置して前記載置面に対する前記第２構造体の位置決めをし、
前記第１構造体及び前記第２構造体を接合して一体化する
カフユニットの製造方法。
【請求項６】
前記第２構造体は、接合代を含み、
前記第１構造体及び前記第２構造体は、前記接合代で接合される
請求項５に記載のカフユニットの製造方法。
【請求項７】
前記第１構造体上に背板を配置して前記背板を前記第１構造体に接合した後、前記第１構造体及び前記背板上に前記第２構造体を配置して、前記第２構造体を前記第１構造体及び前記背板に接合する
請求項５に記載のカフユニットの製造方法。
【請求項８】
前記冶具は、複数の位置決めピンを有し、
前記第１構造体は、前記位置決めピンを配置する孔を複数有し、
前記第２構造体は、前記位置決めピンを配置する孔を複数有し、
前記複数の位置決めピンが、前記第１構造体の複数の前記孔、及び前記第２構造体の複数の前記孔にセットされた状態で、前記接合代が前記第１構造体に接合される
請求項６に記載のカフユニットの製造方法。
【請求項９】
前記第１構造体及び前記第２構造体は、それぞれ、裁断代を含み、
前記第１構造体、及び前記第２構造体を固定して一体化した後に、前記裁断代を裁断する
請求項５に記載のカフユニットの製造方法。
【請求項１０】
カーラと、
積層され、それぞれが流体により膨張する複数の第１袋状構造体を含み、カーラに接合される押圧カフ、並びに、流体により膨張する１つの第２袋状構造体、及び前記第２袋状構造体に形成され、前記第２袋状構造体に隣接する前記第１袋状構造体に接合される接合代を含むセンシングカフを備えるカフユニットと、
前記カフユニットに前記流体を供給する装置本体と、
を備える血圧測定装置。
【発明の詳細な説明】
【技術分野】
【０００１】
本発明は、血圧測定装置に用いられるカフユニット、このカフユニットの製造方法、及び血圧測定装置に関する。
【背景技術】
【０００２】
近年、血圧の測定に用いる血圧測定装置は、医療設備においてのみならず、家庭内においても、健康状態を確認する手段として利用されている。血圧測定装置は、例えば、生体の上腕又は手首等に巻き付けたカフを膨張及び収縮させ、圧力センサによりカフの圧力を検出することで、動脈壁の振動を検出して血圧を測定する。このような血圧測定装置に用いられるカフとして、複数の空気袋を膨張させて動脈を圧迫する技術が知られている（例えば、特許文献１参照）。
【０００３】
手首に装着される態様を有する血圧測定装置では、血管の圧閉方向にセンシングカフが膨張し、膨張時にセンシングカフが手首に密着することが求められる。そこで、膨張したセンシングカフを手首に密着させるために、血圧測定装置を手首に固定するベルトとセンシングカフとの間にカーラを用いる技術が知られている。
【先行技術文献】
【特許文献】
【０００４】
【特許文献１】特開平１１−３０９１１９号公報
【発明の概要】
【発明が解決しようとする課題】
【０００５】
また、このような血圧測定装置は、センシングカフを手首に密着させるために、カーラの内周面に、センシングカフを手首に押圧する押圧カフを固定する構成が考えられる。
【０００６】
しかしながら、カーラに押圧カフ及びセンシングカフを積層して配置する構成を有する血圧測定装置では、カーラに対して、押圧カフ及びセンシングカフを順番に接合すると、カーラに対して押圧カフ及びセンシングカフのそれぞれに位置ずれが生じる。押圧カフ及びセンシングカフのそれぞれに位置ずれが生じることで、カーラに対するセンシングカフの位置ずれが大きくなる可能性がある。カーラに対してセンシングカフの位置ずれが大きくなると、血圧測定の精度が低下する虞がある。
【０００７】
そこで本発明は、カーラに対する押圧カフ及びセンシングカフのそれぞれの位置ずれを抑制できるカフユニット、カフユニットの製造方法、及び血圧測定装置を提供することを目的とする。
【課題を解決するための手段】
【０００８】
一態様によれば、積層され、それぞれが流体により膨張する複数の第１袋状構造体を含み、カーラに接合される押圧カフと、流体により膨張する１つの第２袋状構造体、及び前記第２袋状構造体に形成され、前記第２袋状構造体に隣接する前記第１袋状構造体に接合される接合代を含むセンシングカフと、を備えるカフユニットが提供される。
【０００９】
ここで、カフとは、血圧を測定するときに生体の手首等に巻き付けられ、流体が供給されることで膨張する一つ又は多層の袋状構造体を含む。袋状構造体とは、流体により膨張するものであり、流体が空気である場合には空気袋である。
【００１０】
この態様によれば、押圧カフ及びセンシングカフを接合代により接合することで一体化したカフユニットを構成することで、押圧カフ及びセンシングカフを、一体物として、カーラに固定することが可能となる。この為、カーラに対する一度の取り付け作業で、押圧カフ及びセンシングカフを固定できるので、押圧カフ及びセンシングカフを別々にカーラに対して固定する構成に比較して、カーラに対する押圧カフ及びセンシングカフの位置ずれを抑制できる。さらに、押圧カフの膨張が接合代により阻害されることを抑制できる。
【００１１】
上記一態様のカフユニットにおいて、前記第１袋状構造体は、一方向に長い形状に構成され、前記第２袋状構造体は、一方向に長い形状に構成され、前記接合代は、前記第２袋状構造体の長手方向に沿う外縁部に形成され、前記第１袋状構造体の長手方向に沿う外縁部に接合される、カフユニットが提供される。
【００１２】
この態様によれば、接合代が、第１袋状構造体の広い範囲に接合される。結果、押圧カフ及びセンシングカフの間に、ユーザの汗等の水が浸入することを抑制できる。
【００１３】
上記一態様のカフユニットにおいて、前記押圧カフ及び前記センシングカフは、前記カーラの内周面にならって湾曲する、カフユニットが提供される。
【００１４】
この態様によれば、カフユニットをカーラに接合したときに、押圧カフ及びセンシングカフに、膨張を阻害するしわが発生することを抑制できる。
【００１５】
上記一態様のカフユニットにおいて、前記押圧カフ及び前記センシングカフの間に配置され、前記押圧カフ及び前記センシングカフに接合される背板を備える、カフユニットが提供される。
【００１６】
この態様によれば、押圧カフ、背板、及びセンシングカフの一体物をカーラに一度の取り付け作業で固定できるので、血圧測定装置の製造工程数を低減できる。
【００１７】
一態様によれば、カーラの押圧カフが接合される面に対応する曲面に形成された載置面を有する冶具の前記載置面に、前記押圧カフを含む第１構造体を配置して前記載置面に対する前記第１構造体の位置決めをし、前記第１構造体上に、センシングカフを含む第２構造体を配置して前記載置面に対する前記第２構造体の位置決めをし、前記第１構造体及び前記第２構造体を接合して一体化する、カフユニットの製造方法が提供される。
【００１８】
ここで、カーラの押圧カフが固定される面に対応する曲面に形成された載置面とは、当該載置面に沿って形成されるカフユニットをカーラに固定したときに、カフユニットがカーラに固定する前に比較して湾曲することで押圧カフ及びセンシングカフの少なくとも一方に、膨張を阻害するしわが発生することを抑制できる曲面である。カーラの、押圧カフが配置される面に対応する曲面は、例えば、カーラの、押圧カフが配置される面と同じ曲率を有する曲面である。他の例では、カーラの、押圧カフが配置される面に対応する曲面は、カーラの、押圧カフが配置される面と略同じ曲率を有する曲面である。
【００１９】
この態様によれば、カーラの、押圧カフが固定される面に対応する曲面に構成された載置面を有する冶具を用いて、押圧カフ及びセンシングカフを一体に固定することで、押圧カフ及びセンシングカフを、湾曲した姿勢で、一体に固定できる。結果、押圧カフ及びセンシングカフが一体に固定されたカフユニットをカーラに固定したときに、押圧カフ及びセンシングカフにしわが生じて押圧カフ及びセンシングカフの膨張が阻害されるという状態が生じることを抑制できる。すなわち、押圧カフ及びセンシングカフを、平面状の載置面を有する冶具を用いて一体に固定してカフユニットを構成すると、カフユニットは、平面状の載置面に合わせて、センシングカフの上面が平面となる形状に構成される。このカフユニットをカーラに固定すると、カフユニットがカーラの形状に合わせて湾曲することで生じる内外周差によって、押圧カフ及びセンシングカフにしわが生じる可能性がある。
【００２０】
しかしながら、湾曲する載置面を有する冶具を用いて、押圧カフ及びセンシングカフを固定して一体化することで、カフユニットをカーラに固定したときに、押圧カフ及びセンシングカフに、膨張を阻害するしわが発生することを抑制できる。
【００２１】
上記一態様のカフユニットの製造方法において、前記第２構造体は、接合代を含み、前記第１構造体及び前記第２構造体は、前記接合代で接合される、カフユニットの製造方法が提供される。
【００２２】
この態様によれば、第１構造体及び前記第２構造体の接合に、別部品を必要としないので、第１構造体及び第２構造体の一体部の部品数が増えることを抑制できる。
【００２３】
上記一態様のカフユニットの製造方法において、前記第１構造体上に背板を配置して前記背板を前記第１構造体に接合した後、前記第１構造体及び前記背板上に前記第２構造体を配置して、前記第２構造体を前記第１構造体及び前記背板に接合する、カフユニットの製造方法が提供される。
【００２４】
この態様によれば、押圧カフ、背板、及びセンシングカフの一体物をカーラに一度の取り付け作業で固定できるので、血圧測定装置の製造工程数を低減できる。
【００２５】
上記一態様のカフユニットの製造方法において、前記冶具は、複数の位置決めピンを有し、前記第１構造体は、前記位置決めピンを配置する孔を複数有し、前記第２構造体は、前記位置決めピンを配置する孔を複数有し、前記複数の位置決めピンが、前記第１構造体の複数の前記孔、及び前記第２構造体の複数の前記孔にセットされた状態で、前記接合代が前記第１構造体に接合される、カフユニットの製造方法が提供される。
【００２６】
この態様によれば、載置面に対して、第１構造体及び第２構造体が位置決めピン回りに回転する等の移動することを抑制できる。
【００２７】
上記一態様のカフユニットの製造方法において、前記第１構造体及び前記第２構造体は、それぞれ、裁断代を含み、前記第１構造体、及び前記第２構造体を固定して一体化した後に、前記裁断代を裁断する、カフユニットの製造方法が提供される。
【００２８】
この態様によれば、第１構造体及び第２構造体を固定して一体化した後に裁断を行うことで、カフユニットの製造の作業効率を向上できる。
【００２９】
一態様によれば、カーラと、積層され、それぞれが流体により膨張する複数の第１袋状構造体を含み、カーラに接合される押圧カフ、並びに、流体により膨張する１つの第２袋状構造体、及び前記第２袋状構造体に形成され、前記第２袋状構造体に隣接する前記第１袋状構造体に接合される接合代を含むセンシングカフを備えるカフユニットと、前記カフユニットに前記流体を供給する装置本体と、を備える血圧測定装置が提供される。
【００３０】
この態様によれば、押圧カフ及びセンシングカフを接合代により接合することで一体化したカフユニットを構成することで、押圧カフ及びセンシングカフを、一体物として、カーラに固定することが可能となる。この為、カーラに対する一度の取り付け作業で、押圧カフ及びセンシングカフを固定できるので、押圧カフ及びセンシングカフを別々にカーラに対して固定する構成に比較して、カーラに対する押圧カフ及びセンシングカフの位置ずれを抑制できる。さらに、押圧カフの膨張が接合代により阻害されることを抑制できる。
【発明の効果】
【００３１】
本発明は、カーラに対する押圧カフ及びセンシングカフのそれぞれの位置ずれを抑制できるカフユニット、カフユニットの製造方法、及び血圧測定装置を提供できる。
【図面の簡単な説明】
【００３２】
【図１】本発明の一実施形態に係る血圧測定装置の構成を示す斜視図。
【図２】同血圧測定装置の構成を分解して示す斜視図。
【図３】同血圧測定装置の構成を示す側面図。
【図４】同血圧測定装置を手首に装着した状態を示す説明図。
【図５】同血圧測定装置の構成を示すブロック図。
【図６】同血圧測定装置の構成を示す斜視図。
【図７】同血圧測定装置のカーラ及びカフ構造体の構成を分解して示す斜視図。
【図８】同血圧測定装置のカーラ及びカフユニットの構成を示す断面図。
【図９】同血圧測定装置のカーラ及びカフユニットの構成を示す断面図。
【図１０】同血圧測定装置の引張カフの構成を示す断面図。
【図１１】同血圧測定装置の引張カフの構成を示す断面図。
【図１２】同血圧測定装置のカーラの構成を示す斜視図。
【図１３】同血圧測定装置のカフ構造体の構成を示す平面図。
【図１４】同カフ構造体の構成を示す平面図。
【図１５】同血圧測定装置の押圧カフの構成を示す平面図。
【図１６】同押圧カフの構成を示す断面図。
【図１７】同血圧測定装置のセンシングカフの構成を示す平面図。
【図１８】同センシングカフの構成を示す断面図。
【図１９】同血圧測定装置のカフユニットの構成を示す平面図。
【図２０】同血圧測定装置の引張カフの構成を示す平面図。
【図２１】同血圧測定装置の引張カフの構成を示す断面図。
【図２２】第１構造体の製造方法の一例を示す流れ図。
【図２３】第１シートの構成を示す平面図。
【図２４】第２シートの構成を示す平面図。
【図２５】第３シートの構成を示す平面図。
【図２６】第４シートの構成を示す平面図。
【図２７】同第１構造体の製造方法の一工程の例を示す説明図。
【図２８】同第１構造体の製造方法の一工程の例を示す説明図。
【図２９】同第１構造体の製造方法の一工程の例を示す説明図。
【図３０】同第１構造体の製造方法の一工程の例を示す説明図。
【図３１】同第１構造体の製造方法の一工程の例を示す説明図。
【図３２】同第１構造体の製造方法の一工程の例を示す説明図。
【図３３】同第１構造体の製造方法の一工程の例を示す説明図。
【図３４】第２構造体の製造方法の一例を示す流れ図。
【図３５】第５シートの構成を示す平面図。
【図３６】第６シートの構成を示す平面図。
【図３７】同第２構造体の製造方法の一工程の例を示す説明図。
【図３８】同第２構造体の製造方法の一工程の例を示す説明図。
【図３９】カフユニットの製造方法の一例を示す流れ図。
【図４０】冶具の構成を示す斜視図。
【図４１】同カフユニットの製造方法の一工程の例を示す説明図。
【図４２】同カフユニットの製造方法の一工程の例を示す説明図。
【図４３】同カフユニットの製造方法の一工程の例を示す説明図。
【図４４】引張カフの製造方法の一例を示す流れ図。
【図４５】同血圧測定装置の製造方法の一例を示す流れ図。
【図４６】同血圧測定装置の使用の一例を示す流れ図。
【図４７】同血圧測定装置を手首に装着する一例を示す斜視図。
【図４８】同血圧測定装置を手首に装着する一例を示す斜視図。
【図４９】同血圧測定装置を手首に装着する一例を示す斜視図。
【図５０】同血圧測定装置が手首に取り付けられた状態を模式的に示す断面図。
【図５１】同カフユニットの製造方法の一工程の変形例を示す説明図。
【図５２】同カフユニットの変形例及びカーラの構成を示す断面図。
【図５３】同カフユニットの別の変形例及びカーラの構成を示す断面図。
【発明を実施するための形態】
【００３３】
以下、本発明の一実施形態に係る血圧測定装置１の一例について、図１乃至図２１を用いて以下例示する。
【００３４】
図１は、本実施形態に係る血圧測定装置１の構成を示す斜視図である。図２は、血圧測定装置１の構成を分解して示す斜視図である。図３は、血圧測定装置１の構成を示す側面図である。図４は、血圧測定装置１を手首２００に装着した状態を示す説明図である。図５は、血圧測定装置１の構成を示すブロック図である。図６は、血圧測定装置１の一部の構成を省略して示す斜視図である。図７は、血圧測定装置１のカーラ５及びカフ構造体６の構成を示す分解して示す斜視図である。図８は、血圧測定装置１のカーラ５及びカフユニット２５０の構成を示す断面図である。図９は、血圧測定装置１のカーラ５及びカフユニット２５０の構成を示す断面図である。図１０は、血圧測定装置１の引張カフ７４の構成を示す断面図である。図１１は、血圧測定装置１の引張カフ７４の構成を示す断面図である。図１２は、血圧測定装置１のカーラ５の構成を示す斜視図である。図１３は、血圧測定装置１のカフ構造体６の手首２００側の構成示す平面図である。図１４は、カフ構造体６のカーラ５の内周面側の構成を示す平面図である。
【００３５】
図１５は、血圧測定装置１の押圧カフ７１の構成を示す平面図である。図１６は、押圧カフ７１の構成を図１５中ＸＶＩ−ＸＶＩ線断面で示す断面図である。図１７は、血圧測定装置１のセンシングカフ７３の構成を示す平面図である。図１８は、血圧測定装置１のセンシングカフ７３の構成を図１７中ＸＶＩＩＩ−ＸＶＩＩＩ線断面で示す断面図である。図１９は、血圧測定装置１のカフユニット２５０の構成を示す平面図である。図２０は、血圧測定装置１の引張カフ７４の構成を示す平面図である。図２１は、引張カフ７４の構成を示す断面図である。
【００３６】
血圧測定装置１は、生体に装着する電子血圧測定装置である。本実施形態においては、生体の手首２００に装着するウェアラブルデバイスの態様をもつ電子血圧測定装置を用いて説明する。
【００３７】
図１乃至図６に示すように、血圧測定装置１は、装置本体３と、手首に装置本体３を固定するベルト４と、ベルト４及び手首の間に配置されるカーラ５と、押圧カフ７１、センシングカフ７３及び引張カフ７４を有するカフ構造体６と、装置本体３及びカフ構造体６を流体的に接続する流体回路７と、カーラ５に設けられた給電部８と、を備えている。
【００３８】
図１乃至図６に示すように、装置本体３は、例えば、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、カフ構造体６に流体を供給する。
【００３９】
図１乃至図３に示すように、ケース１１は、筒状の外郭ケース３１と、外郭ケース３１の手首２００側とは反対側（外方側）の開口を覆う風防３２と、外郭ケース３１の内部の手首２００側に設けられた基部３３と、外郭ケース３１の手首２００側を覆う裏カバー３５と、裏カバー３５の下面に設けられるシール部材３６と、を備えている。
【００４０】
外郭ケース３１は、例えば円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。風防３２は、例えば、円形状のガラス板である。
【００４１】
基部３３は、表示部１２、操作部１３、ポンプ１４、開閉弁１６、圧力センサ１７、電力供給部１８、振動モータ１９及び制御基板２０を保持する。また、基部３３は、例えば、ポンプ１４及びカフ構造体６を流体的に連続する流路部１５の一部を構成する。
【００４２】
裏カバー３５は、中央側が開口する環状に構成される。裏カバー３５は、外郭ケース３１の手首２００側の端部の外周縁側を覆う。このような裏カバー３５は、カーラ５と一体に組み合わされることで、中央の開口がカーラ５により覆われ、そしてカーラ５とともに外郭ケース３１の手首２００側の端部を覆う裏蓋を構成する。具体的には、裏カバー３５は、４つの第１締結部材３５ａによってカーラ５に固定されるとともに、４つの第２締結部材３５ｂによって外郭ケース３１の手首２００側の端部に固定される。裏カバー３５は、底部に設けられ、カーラ５に固定される第１締結部材３５ａを挿通する４つの孔部３５ｃと、外周部の４箇所が径方向に突出し、この突出した部位に設けられた外郭ケース３１に固定される第２締結部材３５ｂを挿通する４つの孔部３５ｄと、を有する。
【００４３】
第１締結部材３５ａ及び第２締結部材３５ｂは、螺子、ボルト、ビス、リベット等の二つの部品を機械的に締結する部材である。本実施形態において、第１締結部材３５ａ及び第２締結部材３５ｂは、ネジである。
【００４４】
シール部材３６は、裏カバー３５のカーラ５と接触する領域の形状に形成された、例えば両面テープである。シール部材３６は、カーラ５及び裏カバー３５の間に存することで、カーラ５及び裏カバー３５間をシールする。
【００４５】
表示部１２は、外郭ケース３１の基部３３上であって、且つ、風防３２の直下に配置される。図５に示すように、表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００４６】
操作部１３は、使用者からの指令を入力可能に構成される。例えば、操作部１３は、図１及び図５に示すように、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００４７】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００４８】
ポンプ１４は、例えば圧電ポンプである。ポンプ１４は、空気を圧縮し、流路部１５を介して圧縮空気をカフ構造体６に供給する。ポンプ１４は、電気的に制御基板２０に接続される。
【００４９】
流路部１５は、図５に示すように、ポンプ１４から押圧カフ７１及び引張カフ７４へつながる流路、及び、ポンプ１４からセンシングカフ７３へつながる流路を構成する。また、流路部１５は、押圧カフ７１及び引張カフ７４から大気へつながる流路、及び、センシングカフ７３から大気へつながる流路を構成する。流路部１５は、基部３３等に設けられた中空部、溝、流路タンク及びチューブ等により構成された空気の流路である。
【００５０】
開閉弁１６は、流路部１５の一部を開閉する。開閉弁１６は、複数、具体例として、図５に示すように、４つ設けられ、各開閉弁１６の開閉の組み合わせによりポンプ１４から押圧カフ７１及び引張カフ７４へつながる流路、ポンプ１４からセンシングカフ７３へつながる流路、押圧カフ７１及び引張カフ７４から大気へつながる流路、及び、センシングカフ７３から大気へつながる流路を選択的に開閉する。具体例として、４つの開閉弁１６は、第１開閉弁１６Ａ、第２開閉弁１６Ｂ、第３開閉弁１６Ｃ及び第４開閉弁１６Ｄにより構成される。第１開閉弁１６Ａは、ポンプ１４とセンシングカフ７３とを接続する流路を開閉する。第２開閉弁１６Ｂは、ポンプ１４と引張カフ７４とを接続する流路を開閉する。第２開閉弁１６Ｂ及び第３開閉弁１６Ｃは、ポンプ１４と押圧カフ７１とを接続する流路を開閉する。第２開閉弁１６Ｂ、第３開閉弁１６Ｃ及び第４開閉弁１６Ｄは、ポンプ１４及び大気を接続する流路を開閉する。
【００５１】
圧力センサ１７は、少なくともセンシングカフ７３の圧力を検出する。圧力センサ１７は、例えば、第１圧力センサ１７Ａ及び第２圧力センサ１７Ｂを備える。圧力センサ１７は、検出した圧力を電気信号に変換し、制御基板２０へ出力する。例えば、第１圧力センサ１７Ａ及び第２圧力センサ１７Ｂは、流路部１５の第１圧力センサ１７Ａ及びセンシングカフ７３を接続する流路に設けられる。この流路は押圧カフ７１、センシングカフ７３及び引張カフ７４とポンプ１４とが、各開閉弁の開閉によって連続することから、これら流路内の圧力がポンプ１４のつながる押圧カフ７１、センシングカフ７３及び引張カフ７４の内部空間の圧力となる。
【００５２】
具体例として圧力センサ１７は、第１開閉弁１６Ａが開であり、そして、第２開閉弁１６Ｂを閉であるときにセンシングカフ７３の圧力、換言すると、ポンプ１４及びセンシングカフ７３を接続する流路部１５の圧力を検出する。また、圧力センサ１７は、第１開閉弁１６Ａ及び第２開閉弁１６Ｂが開であり、そして、第３開閉弁１６Ｃが閉であるときに、センシングカフ７３及び引張カフ７４の圧力、換言すると、ポンプ１４、センシングカフ７３及び引張カフ７４を接続する流路部１５の圧力を検出する。さらに、圧力センサ１７は、第１開閉弁１６Ａ、第２開閉弁１６Ｂ及び第３開閉弁１６Ｃが開であり、そして、第４開閉弁１６Ｄが開又は閉であるときに、押圧カフ７１、センシングカフ７３及び引張カフ７４の圧力、換言すると、ポンプ１４、押圧カフ７１、センシングカフ７３及び引張カフ７４を接続する流路部１５の圧力を検出する。
【００５３】
電力供給部１８は、例えば、リチウムイオンバッテリ等の二次電池である。電力供給部１８は、図５に示すように、制御基板２０に電気的に接続される。電力供給部１８は、制御基板２０に電力を供給する。
【００５４】
図５に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００５５】
基板５１は、ケース１１の基部３３にビス等によって固定される。
【００５６】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００５７】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００５８】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００５９】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００６０】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。また、制御部５５は、操作部１３及び圧力センサ１７が出力する電気信号に基づいて、表示部１２、ポンプ１４及び開閉弁１６の動作を制御する。
【００６１】
例えば、制御部５５は、図５に示すように、血圧測定装置１全体の動作を制御するメインＣＰＵ（Central Processing Unit）５６及び流体回路７の動作を制御するサブＣＰＵ５７を有する。例えば、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００６２】
例えば、サブＣＰＵ５７は、操作部１３から血圧を測定する指令が入力されると、ポンプ１４及び開閉弁１６を駆動して押圧カフ７１及びセンシングカフ７３に圧縮空気を送る。また、サブＣＰＵ５７は、圧力センサ１７が出力する電気信号に基づいて、ポンプ１４の駆動及び停止、並びに、開閉弁１６の開閉を制御する。サブＣＰＵ５７は、ポンプ１４及び開閉弁１６を制御することで、圧縮空気を押圧カフ７１及びセンシングカフ７３に選択的に送るとともに、押圧カフ７１及びセンシングカフ７３を選択的に減圧する。
【００６３】
図１乃至図４に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４は、カーラ５を介して手首２００に巻き付けられる。
【００６４】
第１ベルト６１は、所謂親と呼ばれ、第２ベルト６２と連結可能な帯状に構成される。第１ベルト６１は、図１乃至図３に示すように、ベルト部６１ａ及び尾錠６１ｂを有する。ベルト部６１ａは、帯状に構成される。ベルト部６１ａは、弾性変形可能な樹脂材料で形成される。また、ベルト部６１ａは、可撓性を有するとともに、ベルト部６１ａの長手方向の伸縮が抑制されるシート状のインサート部材を内部に有する。ベルト部６１ａは、一方の端部に形成され、ベルト部６１ａの長手方向に直交する第１孔部６１ｃ及び他方の端部に形成され、第１ベルト６１の長手方向に直交する第２孔部６１ｄを有する。
【００６５】
図４及び図６に示すように、第１孔部６１ｃは、ベルト部６１ａの端部に設けられる。第１孔部６１ｃは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ｃが配置されることで、外郭ケース３１に回転可能に保持される。
【００６６】
図１及び図３に示すように、第２孔部６１ｄは、ベルト部６１ａの先端に設けられる。第２孔部６１ｄは、尾錠６１ｂが取り付けられる。
【００６７】
図１及び図３に示すように、尾錠６１ｂは、矩形枠状の枠状体６１ｅと、枠状体６１ｅに回転可能に取り付けられたつく棒６１ｆと、を有する。枠状体６１ｅは、つく棒６１ｆが取り付けられた一辺が第２孔部６１ｄに挿入され、ベルト部６１ａに関して回転可能に取り付けられる。
【００６８】
第２ベルト６２は、所謂剣先と呼ばれ、枠状体６１ｅに挿入可能な幅を有する帯状に構成される。第２ベルト６２は、弾性変形可能な樹脂材料で形成される。また、第２ベルト６２は、可撓性を有するとともに、第２ベルト６２の長手方向の伸縮が抑制されるシート状のインサート部材を内部に有する。
【００６９】
また、第２ベルト６２は、図１及び図２に示すように、つく棒６１ｆが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００７０】
このようなベルト４は、第２ベルト６２が枠状体６１ｅに挿入され、小孔６２ａにつく棒６１ｆが挿入されることで、第１ベルト６１及び第２ベルト６２が一体に接続され、外郭ケース３１とともに、手首２００の周方向に倣った環状となる。ベルト４は、手首２００の周方向に倣った環状となることで、カーラ５を押圧し、カーラ５を血圧測定装置１の装着者の手首の周方向に倣うように、弾性変形させる。
【００７１】
カーラ５は、図１乃至図４に示すように、手首２００の周方向に倣って湾曲する帯状に構成される。カーラ５は、一端と他端が離間した形状に形成される。カーラ５は、例えば、一端側の外面が装置本体３の裏カバー３５に固定される。カーラ５は、一端及び他端が裏カバー３５よりも手首２００の一方の側方側に突出した位置に配置される。これにより、カーラ５は、血圧測定装置１を手首２００に装着したときに、一端及び他端が手首２００の側方に配置される。また、カーラ５は、所定の距離だけ離間して一端及び他端が隣接する。カーラ５は、例えば、樹脂材料で形成される。具体例として、カーラ５は、ポリプロピレンによって厚さが１ｍｍ程度に形成される。
【００７２】
具体例として、図１乃至図４に示すように、カーラ５は、手首の周方向に倣って湾曲する帯状に構成される。また、カーラ５は、一端側の手首２００の手の甲側に対向する位置に設けられ、裏カバー３５とともに裏蓋を構成する円板状のカバー部５ａ、カバー部５ａの周囲に設けられ、及び、外郭ケース３１及び裏カバー３５を固定する第２締結部材３５ｂを移動可能な逃げ部５ｂを有する。カーラ５は、例えば、カバー部５ａ及びその隣接する部位が平板状に形成されるとともに、カバー部５ａよりも一端側及び他端側が所定の曲率で湾曲して形成される。そして、カーラ５は、カバー部５ａから一端までの長さが、カバー部５ａから他端までの長さよりも短く形成される。具体例として、カーラ５は、カバー部５ａから一端までの短手側が、手首の手の甲側に配置され、そして、カバー部５ａから他端までの長手側が、手首の手の甲側から一方の側方を通って手首２００の手の平側まで延びる。
【００７３】
また、図１２に示すように、カーラ５は、一端及び他端が近接したときに、一端側の内周面側に他端が位置する形状に形成される。具体例として、カーラ５の手首２００の幅方向の幅は、カーラ５の手首２００の手の平側よりもカーラ５の手首２００の手の甲側が大きく設定される。そして、カーラ５は、手首２００の手の甲側の一端の曲率半径が手首２００の手の平側の他端の曲率半径よりも大きく設定される。このような構成により、カーラ５は、カーラ５の両端側が当接すると、一端よりも他端がカーラ５の内方に配置される。また、カーラ５は、カバー部５ａの一部、及び、カバー部５ａから一端側の外面、さらに言えば、カバー部５ａから延びる短手側の外面に、カバー部５ａに隣接して設けられた窪み５ｃが設けられる。
【００７４】
カバー部５ａは、インサートされた補強用のインサート部材５ｄを含む。カバー部５ａは、固定された裏カバー３５を介して外郭ケース３１の手首２００側に固定される。カバー部５ａは、裏カバー３５の４つの孔部３５ｃと対向する位置に設けられ、裏カバー３５を固定する第１締結部材３５ａが螺合される螺子孔５ｅを有する。さらに、カバー部５ａは、カフ構造体６を装置本体３に接続するための３つ孔部５ｆを有する。
【００７５】
逃げ部５ｂは、裏カバー３５側から外郭ケース３１に裏カバー３５を第２締結部材３５ｂにより固定するときに、第２締結部材３５ｂがカーラ５に干渉せずに第２締結部材３５ｂを裏カバー３５に配置するため及び第２締結部材３５ｂを回転させる工具を配置するための逃げである。
【００７６】
３つの孔部５ｆは、押圧カフ７１の後述する接続部８４を挿入可能な内径に形成された第１孔部５ｆ１、センシングカフ７３の後述する接続部９３を挿入可能な内径に形成された第２孔部５ｆ２、及び、引張カフ７４の後述する接続部１０３を挿入可能な内径に形成された第３孔部５ｆ３である。本実施形態において、第２孔部５ｆ２は、第１孔部５ｆ１及び第３孔部５ｆ３よりも、カバー部５ａ内のカーラ５の手の平側の他端側に配置される。
【００７７】
このようなカーラ５は、一端及び他端がベルト４の第２ベルト６２と対向する向きで外郭ケース３１に固定される。また、カーラ５は、少なくとも、手首２００の手の平側と対向する位置が、手首２００の手の平側に沿って周方向に沿って湾曲することで、手首２００の手の平側と対向するカフ構造体６を、手首２００の手の平側の形状に倣って湾曲させた状態で保持する。
【００７８】
また、カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【００７９】
カーラ５は、内周面にカフ構造体６が配置され、そして、カーラ５の内周面形状に沿ってカフ構造体６を保持する。具体例として、カーラ５は、押圧カフ７１及び引張カフ７４が内周面に配置され、カーラ５並びに押圧カフ７１及び引張カフ７４との間に設けられる接合層７５により、カフ構造体６が固定されることで、カフ構造体６を保持する。本実施形態においては、接合層７５は、接着剤や両面テープである。
【００８０】
図１乃至図６、図１３及び図１４に示すように、カフ構造体６は、押圧カフ７１と、背板７２と、センシングカフ７３と、引張カフ７４と、を備えている。また、カフ構造体６は、各構成同士、及び、カーラ５とカフ７１、７４を接合する接合層７５を備えている。カフ構造体６は、カーラ５に固定される。カフ構造体６は、押圧カフ７１、背板７２及びセンシングカフ７３が積層してカーラ５に配置され、引張カフ７４が押圧カフ７１、背板７２及びセンシングカフ７３と離間してカーラ５に配置される。
【００８１】
具体例として、カフ構造体６は、図４に示すように、カーラ５の手首２００の手の平側の内周面に、カーラ５の内周面から手首２００側に向かって、押圧カフ７１、背板７２及びセンシングカフ７３の順に積層して固定される。また、カフ構造体６は、カーラ５の手首２００の手の甲側の内周面に引張カフ７４が配置される。カフ構造体６の各部材は、積層方向に隣接する部材に接合層７５によって固定される。
【００８２】
押圧カフ７１は、流路部１５を介してポンプ１４に流体的に接続される。押圧カフ７１は、膨張することで背板７２及びセンシングカフ７３を手首２００側に押圧する。押圧カフ７１は、図８、図９、図１３乃至図１７に示すように、複数の、例えば二層の空気袋（第１袋状構造体）８１と、カーラ５と対向する空気袋８１に設けられた被接合部８２と、空気袋８１と連通する流路体８３と、流路体８３の先端に設けられた接続部８４と、を含む。このような押圧カフ７１は、複数のシート部材８６を一体に溶着することで構成される。
【００８３】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。複数の空気袋８１は、積層され、積層方向に流体的に連通する。
【００８４】
空気袋８１は、一方向に長い矩形状の袋形状に形成される。また、空気袋８１は、短手方向の幅が、カーラ５の短手方向の幅と同じ幅に設定される。空気袋８１は、例えば、二枚のシート部材８６を組み合わせ、図８、図９、図１３乃至図１７に溶着部８１ａを示すように、一方向に長い矩形枠状に熱により溶着することで構成される。また、二層の空気袋８１は、二つの空気袋８１を熱により溶着して一体に組み合わせるか、又は、隣り合う空気袋８１の対向するシート部材８６同士を溶着した後に空気袋８１を溶着して形成することで構成される。具体例として、二層の空気袋８１は、互いに対向するシート部材８６に設けられた開口によって流体的に連続する。また、二層の空気袋８１は、対向するシート部材８６同士を外周縁に位置する溶着部８１ａよりも小さい四辺枠状にブリッジ溶着し、このブリッジ溶着部８１ｂで複数の開口を囲うことで、隣り合う空気袋８１を一体に形成し、そして、ブリッジ溶着部８１ｂの内側で流体的に連続させる。ここで、ブリッジ溶着及びブリッジ溶着部のブリッジとは、隣り合う空気袋８１を一体に接合することを意味する。
【００８５】
被接合部８２は、カーラ５と隣接して配置される空気袋８１の縁部の少なくとも一部に、単数又は複数設けられる。被接合部８２は、空気袋８１を構成するシート部材８６の一部によって形成される。
【００８６】
本実施形態においては、被接合部８２は、図７乃至図９、図１３乃至図１５に示すように、空気袋８１の短手方向の縁部のそれぞれに一つずつ設けられる例を用いて説明する。なお、例えば、被接合部８２は、スリットにより空気袋８１の長手方向に分割されていてもよく、また、空気袋８１の長手方向に複数設けられていてもよい。被接合部８２は、押圧カフ７１がカーラ５の内周面に配置されたときに、少なくとも、カーラ５の外周面に接合される。また、例えば、二つの被接合部８２は、積層され、そして溶着される。
【００８７】
なお、二つの被接合部８２は、例えば、空気袋８１の短手方向の長さが異なる長さに設定される。この例においては、二つの被接合部８２は、カーラ５の短手方向の一端側において積層されて溶着される。なお、二つの被接合部８２は、先端がカーラ５の外周面に配置可能であれば、その長さは適宜設定可能であり、積層可能であってもなくてもよいが、積層可能な長さに設定される場合には、先端がカーラ５の外周面の外縁よりも外方に延設されない長さが好ましい。
【００８８】
流路体８３は、図７、図１３乃至図１７に示すように、一つの空気袋８１、例えば、カーラ５に隣接する空気袋８１の長手方向で一端の縁部の一部に一体に設けられる。具体例として、流路体８３は、空気袋８１の装置本体３に近い端部に設けられる。また、流路体８３は、空気袋８１の短手方向の幅よりも小さい幅で一方向に長い形状に形成され、先端が円形状に形成される。流路体８３は、先端に接続部８４を有する。流路体８３は、接続部８４を介して流路部１５に接続され、装置本体３の流路部１５と空気袋８１との間の流路を構成する。
【００８９】
流路体８３は、二枚のシート部材８６に接続部８４を配置した状態で、シート部材８６の空気袋８１を構成する領域に隣接するシート部材８６の一部を一方向に長い枠状に熱により溶着することで構成される。このような流路体８３は、カーラ５の内周面及び引張カフ７４の間に配置され、先端がカーラ５のカバー部５ａが設けられた領域の手首２００側の主面であって、且つ、第１孔部５ｆ１と対向する位置に配置される。
【００９０】
なお、流路体８３が設けられる空気袋８１は、二枚のシート部材８６を矩形枠状に溶着する溶着部８１ａの一部を非溶着とし、流路体８３を構成する溶着部８３ａと連続する構成とすることで、空気袋８１が流路体８３に流体的に連続する。
【００９１】
接続部８４は、例えばニップルである。接続部８４は、流路体８３の先端に設けられる。接続部８４の先端は、流路体８３を構成する二枚のシート部材８６のうち、カーラ５と対向するシート部材８６から露出する。接続部８４は、カバー部５ａの第１孔部５ｆ１に挿通され、流路部１５に接続される。
【００９２】
このように構成を有する押圧カフ７１は、具体例として、図８、図９及び図５２に示すように、手首２００側から、第１シート部材８６ａと、第１シート部材８６ａと一層目の空気袋８１を構成する第２シート部材８６ｂと、第２シート部材８６ｂと一体に接合されるとともに、被接合部８２を構成する第３シート部材８６ｃと、第３シート部材８６ｃと二層目の空気袋８１及び流路体８３を構成する第４シート部材８６ｄと、を備える。なお、押圧カフ７１は、隣り合うシート部材８６が熱による溶着により接合されることで一体に構成される。
【００９３】
第１シート部材８６ａ及び第２シート部材８６ｂは、空気袋８１と同様の矩形状に構成され、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。また、第２シート部材８６ｂ及び第３シート部材８６ｃは、複数の開口８６ｂ１、８６ｃ１の周囲を、空気袋８１を溶着した四辺よりも小さい四辺枠状に熱によりブリッジ溶着されることで、一体に接合される。
【００９４】
第３シート部材８６ｃは、例えば、空気袋８１、被接合部８２及び流路体８３を構成可能な形状に構成される。第４シート部材８６ｄは、例えば、空気袋８１及び流路体８３を構成可能な形状に構成される。また、第４シート部材８６ｄは、例えば、接続部８４の先端を挿入可能な孔部８６ｄ１を有する。
【００９５】
第３シート部材８６ｃ及び第４シート部材８６ｄは、対向して配置され、空気袋８１及び流路体８３が流体的に連続するように、空気袋８１及び流路体８３の周縁形状に沿って熱により溶着され、所定の形状に裁断されることで空気袋８１、被接合部８２及び流路体８３を構成する。
【００９６】
第４シート部材８６ｄの孔部８６ｄ１に接続部８４が配置され、孔部８６ｄ１の周囲が接続部８４と熱により溶着される。さらに、第４シート部材８６ｄはカーラ５の内周面に、第３シート部材８６ｃの被接合部８２はカーラ５の外周面に、それぞれ接合層７５を介して接合される。
【００９７】
背板７２は、図８、図９及び図５２に示すように、接合層７５により押圧カフ７１の第１シート部材８６ａの外面に貼付される。背板７２は、樹脂材料で板状に形成される。背板７２は、例えば、ポリプロピレンからなり、厚さが１ｍｍ程度の板状に形成される。背板７２は、形状追従性を有する。
【００９８】
ここで、形状追従性とは、配置される手首２００の被接触箇所の形状を倣うように背板７２が変形可能な機能をいい、手首２００の被接触箇所とは、背板７２が対向する手首２００の領域をいう。ここでの接触とは、直接的な接触及びセンシングカフ７３を介した間接的な接触の双方を含む。
【００９９】
例えば、図９に示すように、背板７２は、その両主面に長手方向に対して直交する方向に延びる複数の溝７２ａを有する。複数の溝７２ａは、背板７２の厚さ方向においてそれぞれ対向する。また、複数の溝７２ａは、背板７２の長手方向に等間隔に配置される。
【０１００】
背板７２は、複数の溝７２ａを有する部位が溝７２ａを有さない部位に比べて薄肉となることで、複数の溝７２ａを有する部位が変形しやすいことから、手首２００の形状に倣って変形し、手首の周方向に延在する形状追従性を有する。背板７２は、手首２００の手の平側を覆う長さに形成される。背板７２は、手首２００の形状に沿った状態で、押圧カフ７１からの押圧力をセンシングカフ７３の背板７２側の主面に伝達する。
【０１０１】
センシングカフ７３は、流路部１５を介してポンプ１４に流体的に接続される。センシングカフ７３は、背板７２の手首２００側の主面に固定される。センシングカフ７３は、図４及び図５２に示すように、手首２００の動脈２１０が存する領域に例えば直接接触する。ここで、動脈２１０とは、橈骨動脈及び尺骨動脈である。センシングカフ７３は、背板７２の長手方向及び幅方向で、背板７２と同一形状か、又は、背板７２よりも小さい形状に形成される。センシングカフ７３は、膨張することで手首２００の手の平側の動脈２１０が存する領域を圧迫する。センシングカフ７３は、膨張した押圧カフ７１により、背板７２を介して手首２００側に押圧される。
【０１０２】
具体例として、センシングカフ７３は、図８、図９、図１３、図１４、図１７及び図１８に示すように、一つの空気袋（第２袋状構造体）９１と、空気袋９１と連通する流路体９２と、流路体９２の先端に設けられた接続部９３と、少なくとも一部が押圧カフ７１に接合される接合代９４と、を含む。センシングカフ７３は、空気袋９１の一方の主面が背板７２に固定される。例えば、センシングカフ７３は、背板７２の手首２００側の主面に接合層７５により接合される。このようなセンシングカフ７３は、二枚のシート部材９６を一体に溶着することで構成される。
【０１０３】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等であってもよい。
【０１０４】
空気袋９１は、一方向に長い矩形状に構成される。空気袋９１は、例えば、二枚のシート部材９６を組み合わせ、図８、図９、図１３、図１４、図１７及び図１８に溶着部９１ａを示すように、一方向に長い矩形枠状に熱により溶着することで構成される。
【０１０５】
流路体９２は、空気袋９１の長手方向で一端の縁部の一部に一体に設けられる。具体例として、流路体９２は、空気袋９１の装置本体３に近い端部に設けられる。また、流路体９２は、空気袋９１の短手方向の幅よりも小さい幅で一方向に長い形状に形成され、先端が円形状に形成される。流路体９２は、先端に接続部９３を有する。流路体９２は、先端に、接続部９３を有する。流路体９２は、接続部９３を介して流路部１５に接続され、装置本体３の流路部１５と空気袋９１との間の流路を構成する。
【０１０６】
流路体９２は、二枚のシート部材９６に接続部９３を配置した状態で、シート部材９６の空気袋９１を構成する領域に隣接するシート部材９６の一部を一方向に長い枠状に熱により溶着することで構成される。なお、空気袋９１は、二枚のシート部材９６を矩形枠状に溶着する溶着部９１ａの一部を非溶着とし、流路体９２を構成する溶着部９２ａと連続する構成とすることで、空気袋９１及び流路体９２を流体的に連続する。このような流路体９２は、カーラ５の内周面及び引張カフ７４の間に配置され、先端がカーラ５のカバー部５ａが設けられた領域の手首２００側の主面であって、且つ、第２孔部５ｆ２と対向する位置に配置される。
【０１０７】
接続部９３は、例えばニップルである。接続部９３は、流路体９２の先端に設けられる。また、接続部９３の先端は、流路体９２を構成する二枚のシート部材９６のうち、カーラ５及び背板７２と対向するシート部材９６から外部に露出する。接続部９３は、カバー部５ａの第２孔部５ｆ２に挿通され、流路部１５に接続される。
【０１０８】
接合代９４は、押圧カフ７１の複数の空気袋８１のうち空気袋９１に隣接する空気袋８１、換言すると、背板７２側の空気袋８１の溶着部８１ａの一部に溶着により接合可能に形成されており、具体例として、背板７２側の空気袋８１の長手方向に沿う外縁部に、接合される。
【０１０９】
空気袋８１の外縁部は、空気袋８１の外縁の周囲の領域である。本実施形態では、空気袋８１は、２枚のシート部材８６が溶着されることで構成されることから、溶着部８１ａは、空気袋８１の外縁部の一例である。
【０１１０】
図１７に示すように、接合代９４は、例えば、空気袋９１の溶着部９１ａ、及び流路体９２の溶着部９２ａの一部に連続して一体に形成される。この為、接合代９４は、その一部が空気袋９１の長手方向に沿う外縁部に形成される。接合代９４は、例えば、二枚のシート部材９６の、空気袋９１を構成する領域、及び流路体９２を構成する領域に隣接する領域を、押圧カフ７１の背板７２側の空気袋８１及び溶着部８１ａと同形状に形成することで、構成される。
【０１１１】
図１３に示すように、接合代９４の外縁部は、押圧カフ７１の背板７２側の空気袋８１の溶着部８１ａと同形状に形成される。接合代９４の外縁部のうち、空気袋８１の長手方向に沿う溶着部８１ａと対向する部分は、溶着部８１ａに溶着される接合部９４ａを構成する。接合部９４ａは、溶着により、押圧カフ７１に接合される。換言すると、接合代９４の、センシングカフ７３の空気袋９１の長手方向に沿う２つの外縁部が、空気袋８１の長手方向に沿う溶着部８１ａの一端から他端まで接合されている。接合代９４の短手方向に沿う外縁部は、空気袋８１の短手方向に沿う溶着部８１ａには接合されない。
【０１１２】
このような構成を有するセンシングカフ７３は、具体例として、図８及び図９に示すように、手首２００側から第５シート部材９６ａ及び第６シート部材９６ｂを備える。なお、センシングカフ７３は、隣り合うシート部材９６が熱による溶着により接合されることで構成される。
【０１１３】
例えば、第５シート部材９６ａ及び第６シート部材９６ｂは、空気袋９１、流路体９２及び接合代９４を構成可能な形状に構成される。第５シート部材９６ａ及び第６シート部材９６ｂは、対向して配置され、空気袋９１及び流路体９２が流体的に連続するように、空気袋９１及び流路体９２の周縁形状に沿って熱により溶着され、所定の形状に裁断されることで空気袋９１、流路体９２及び接合代９４を構成する。
【０１１４】
また、第６シート部材９６ｂは、例えば、接続部９３の先端を挿入可能な孔部９６ｂ１を有する。孔部９６ｂ１に接続部９３が配置され、孔部９６ｂ１の周囲が接続部９３と熱により溶着される。第６シート部材９６ｂは、背板７２の内周面に、接合層７５を介して接合される。
【０１１５】
図１９に示すように、押圧カフ７１、背板７２、及びセンシングカフ７３は、押圧カフ７１及びセンシングカフ７３が固定され、背板７２が押圧カフ７１及びセンシングカフ７３に固定されることで、一体に構成され、カフユニット２５０を構成する。カフユニット２５０は、後述する、曲面に構成される載置面４０１を有する冶具４００を用いて製造されることで、カーラ５に接合される前の状態で、カーラ５の押圧カフ７１が接合される面に倣って湾曲した形状に構成される。
【０１１６】
引張カフ７４は、流路部１５を介してポンプ１４に流体的に接続される。図４に示すように、引張カフ７４は、膨張することで手首２００から離間するようにカーラ５を押圧することで、ベルト４及びカーラ５を手首２００の手の甲側に引っ張る。引張カフ７４は、図１０、図１１、図２０及び図２１に示すように、複数の、例えば六層の空気袋１０１と、カーラ５と対向する空気袋１０１に設けられた被接合部１０２と、カーラ５と対向する空気袋１０１に設けられた接続部１０３と、少なくともカーラ５と対向する空気袋１０１に設けられた切欠部１０４と、を含む。このような引張カフ７４は、複数のシート部材１０６を一体に溶着することで構成される。また、引張カフ７４は、流路体８３、９２が設けられた領域、及び、カバー部５ａを含むカーラ５の手首２００の手の甲側に固定される。即ち、カーラ５の手首２００の手の甲側及び引張カフ７４の間に、押圧カフ７１の流路体８３及びセンシングカフ７３の流路体９２が配置される。
【０１１７】
また、引張カフ７４は、膨張方向、本実施形態においては、カーラ５及び手首２００の対向する方向で、膨張時の厚さが、押圧カフ７１の膨張方向における膨張時の厚さ、及び、センシングカフ７３の膨張方向における膨張時の厚さよりも厚く構成される。即ち、引張カフ７４の空気袋１０１は、押圧カフ７１の空気袋８１及びセンシングカフ７３の空気袋９１よりも多い層構造を有し、カーラ５から手首２００に向かって膨張したときの厚さが押圧カフ７１及びセンシングカフ７３よりも厚い。
【０１１８】
本実施形態において、六層の空気袋１０１を含む引張カフ７４は、図１０、図１１及び図２０に示すように、一つの空気袋１０１により構成される第１外層１１１、第１外層１１１に熱により溶着して一体に組み合わされた二層の空気袋１０１により構成される第１中間層１１２、第１中間層１１２に熱により溶着して一体に組み合わされた二層の空気袋１０１により構成される第２中間層１１３、及び、第２中間層１１３に熱により溶着して一体に組み合わされた一つの空気袋１０１により構成される第２外層１１４を備える。
【０１１９】
ここで、空気袋１０１とは、袋状構造体であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。複数の空気袋１０１は、積層され、積層方向に流体的に連通する。
【０１２０】
空気袋１０１は、一方向に長い矩形状の袋形状に形成される。また、空気袋１０１は、短手方向の幅が、カーラ５の短手方向の幅と同じ幅に設定される。空気袋１０１は、例えば、二枚のシート部材１０６を組み合わせ、図１０、図１１、図１３、図１４、図２０及び図２１に溶着部１０１ａを示すように、一方向に長い矩形枠状に熱により溶着することで構成される。六層の空気袋１０１は、互いに対向するシート部材１０６に設けられた開口によって流体的に連続する。
【０１２１】
また、六層の空気袋１０１は、第１外層１１１及び第１中間層１１２、第１中間層１１２及び第２中間層１１３、並びに、第２中間層１１３及び第２外層１１４がそれぞれ対向するシート部材１０６同士を外周縁に位置する溶着部８１ａよりも小さい四辺枠状にブリッジ溶着し、このブリッジ溶着部１０１ｂで複数の開口を囲うことで、隣り合う空気袋１０１を一体に形成し、そして、ブリッジ溶着部１０１ｂの内側で流体的に連続させる。
【０１２２】
第１外層１１１は、手首２００側に配置される一つの空気袋１０１により形成される。第１外層１１１は、六層の空気袋１０１のうち、手首２００側から第一層の空気袋１０１を構成する。
【０１２３】
第１中間層１１２は、第１外層１１１に積層される。第１中間層１１２は、二層の空気袋１０１により形成される。第１中間層１１２は、六層の空気袋１０１のうち、手首２００側から第二層及び第三層の空気袋１０１を構成する。第１中間層１１２は、二層の空気袋１０１が外周縁で一体に溶着されることで構成される。換言すると、第１中間層１１２は、４枚のシート部材１０６を空気袋１０１の外周縁形状で一体に溶着することで形成される。
【０１２４】
第２中間層１１３は、第１中間層１１２に積層される。第２中間層１１３は、二層の空気袋１０１により形成される。第２中間層１１３は、六層の空気袋１０１のうち、手首２００側から第四層及び第五層の空気袋１０１を構成する。第２中間層１１３は、二層の空気袋１０１が外周縁で一体に溶着されることで構成される。換言すると、第２中間層１１３は、４枚のシート部材１０６を空気袋１０１の外周縁形状で一体に溶着することで形成される。
【０１２５】
第２外層１１４は、カーラ５側に配置される一つの空気袋１０１により形成される。第２外層１１４は、六層の空気袋１０１のうち、手首２００側から第六層の空気袋１０１を構成する。
【０１２６】
被接合部１０２は、カーラ５と隣接して配置される空気袋１０１の縁部の少なくとも一部に、単数又は複数設けられる。被接合部１０２は、空気袋１０１を構成するシート部材１０６の一部によって形成される。
【０１２７】
本実施形態においては、被接合部１０２は、空気袋１０１の短手方向の縁部のそれぞれに、空気袋１０１の長手方向で二つずつ設けられる例を用いて説明する。なお、例えば、被接合部１０２は、カーラ５のカバー部５ａと対向する位置を避けて空気袋１０１に設けられる。また、例えば、被接合部１０２は、カーラ５に設けられた給電部８の後述する給電端子８ｂと対向する部位に、給電端子８ｂを外部に露出させるための逃げ部１０２ａを有する。逃げ部１０２ａは、例えば、給電端子８ｂを外部に露出可能な開口であり、一例として円形状である。
【０１２８】
被接合部１０２は、引張カフ７４がカーラ５の内周面に配置されたときに、少なくとも、カーラ５の外周面に接合される。また、空気袋１０１の短手方向で同じ位置に配置される被接合部１０２は、積層され、そして溶着される。
【０１２９】
なお、二つの被接合部１０２は、例えば、空気袋１０１の短手方向の長さが異なる長さに設定される。この例においては、二つの被接合部１０２は、カーラ５の短手方向の一端側において積層されて溶着される。なお、二つの被接合部１０２は、先端がカーラ５の外周面に配置可能であれば、その長さは適宜設定可能であり、積層可能であってもなくてもよいが、積層可能な長さに設定される場合には、先端がカーラ５の外周面の外縁よりも外方に延設されない長さが好ましい。
【０１３０】
接続部１０３は、例えばニップルである。接続部１０３は、カーラ５と隣接して配置される空気袋１０１の長手方向で中央側であって、且つ、カバー部５ａの第３孔部５ｆ３と対向する位置に設けられる。接続部１０３の先端は、空気袋１０１を構成する二枚のシート部材１０６のうち、カーラ５と対向するシート部材１０６から露出する。接続部１０３は、カバー部５ａの第３孔部５ｆ３に挿通され、流路部１５に接続される。
【０１３１】
切欠部１０４は、図１９に示すように、カーラ５に設けられた逃げ部５ｂと対向する位置に設けられる。切欠部１０４は、第２外層１１４を形成する第六層の空気袋１０１に設けられる。
【０１３２】
具体例として、引張カフ７４は、図１０、図１１及び図２０に示すように、手首２００側から、第７シート部材１０６ａと、第８シート部材１０６ｂと、第９シート部材１０６ｃと、第１０シート部材１０６ｄと、第１１シート部材１０６ｅと、第１２シート部材１０６ｆと、第１３シート部材１０６ｇと、第１４シート部材１０６ｈと、第１５シート部材１０６ｉと、第１６シート部材１０６ｊと、第１７シート部材１０６ｋと、第１８シート部材１０６ｌと、を備えている。なお、引張カフ７４は、隣り合うシート部材１０６が熱による溶着により接合されることで一体に構成される。
【０１３３】
第７シート部材１０６ａ乃至第１８シート部材１０６ｌは、空気袋１０１と同様の矩形状に構成される。第７シート部材１０６ａ及び第８シート部材１０６ｂは、空気袋１０１の四辺の周縁部形状に沿って熱により溶着されることで、手首２００側から一層目の空気袋１０１を構成する。即ち、第７シート部材１０６ａ及び第８シート部材１０６ｂは、第１外層１１１を構成する。
【０１３４】
第８シート部材１０６ｂ及び第９シート部材１０６ｃは、対向して配置され、それぞれ、二つの空気袋１０１を流体的に連続させる複数の開口１０６ｂ１、１０６ｃ１を有する。また、第８シート部材１０６ｂ及び第９シート部材１０６ｃは、複数の開口１０６ｂ１、１０６ｃ１の周囲を、空気袋１０１を溶着した四辺よりも小さい四辺枠状に熱によりブリッジ溶着されることで、一体に接合される。
【０１３５】
第９シート部材１０６ｃ及び第１０シート部材１０６ｄは、空気袋１０１の四辺の周縁部形状に沿って熱により溶着されることで、手首２００側から二層目の空気袋１０１を構成する。
【０１３６】
第１０シート部材１０６ｄ及び第１１シート部材１０６ｅは、図１０及び図１１及び図２０に示すように、対向して配置され、それぞれ、二つの空気袋１０１を流体的に連続させる複数の開口１０６ｄ１、１０６ｅ１を有する。第１１シート部材１０６ｅ及び第１２シート部材１０６ｆは、空気袋１０１の四辺の周縁部形状に沿って熱により溶着されることで、手首２００側から三層目の空気袋１０１を構成する。
【０１３７】
なお、第９シート部材１０６ｃ、第１０シート部材１０６ｄ、第１１シート部材１０６ｅ及び第１２シート部材１０６ｆは、空気袋１０１の四辺の周縁部形状に沿って熱により一体に溶着されることで、第二層及び第三層の空気袋１０１が一体に形成された第１中間層１１２を構成する。
【０１３８】
第１２シート部材１０６ｆ及び第１３シート部材１０６ｇは、図１０、図１１及び図２０に示すように、対向して配置され、それぞれ、二つの空気袋１０１を流体的に連続させる複数の開口１０６ｆ１、１０６ｇ１を有する。また、第１２シート部材１０６ｆ及び第１３シート部材１０６ｇは、複数の開口１０６ｆ１、１０６ｇ１の周囲を、空気袋１０１を溶着した四辺よりも小さい四辺枠状に熱によりブリッジ溶着されることで、一体に接合される。
【０１３９】
第１３シート部材１０６ｇ及び第１４シート部材１０６ｈは、空気袋１０１の四辺の周縁部形状に沿って熱により溶着されることで、手首２００側から四層目の空気袋１０１を構成する。
【０１４０】
第１４シート部材１０６ｈ及び第１５シート部材１０６ｉは、図１０、図１１及び図２１に示すように、対向して配置され、それぞれ、二つの空気袋１０１を流体的に連続させる複数の開口１０６ｈ１、１０６ｉ１を有する。第１５シート部材１０６ｉ及び第１６シート部材１０６ｊは、空気袋１０１の四辺の周縁部形状に沿って熱により溶着されることで、手首２００側から五層目の空気袋１０１を構成する。
【０１４１】
なお、第１３シート部材１０６ｇ、第１４シート部材１０６ｈ、第１５シート部材１０６ｉ及び第１６シート部材１０６ｊは、空気袋１０１の四辺の周縁部形状に沿って熱により一体に溶着されることで、第四層及び第五層の空気袋１０１が一体に形成された第２中間層１１３を構成する。
【０１４２】
第１６シート部材１０６ｊ及び第１７シート部材１０６ｋは、図１０、図１１及び図２１に示すように、対向して配置され、それぞれ、二つの空気袋１０１を流体的に連続させる複数の開口１０６ｊ１、１０６ｋ１を有する。また、第１７シート部材１０６ｋは、例えば、空気袋１０１及び被接合部１０２を構成可能な形状に構成される。第１６シート部材１０６ｊ及び第１７シート部材１０６ｋは、複数の開口１０６ｊ１、１０６ｋ１の周囲を、空気袋１０１を溶着した四辺よりも小さい四辺枠状に熱によりブリッジ溶着されることで、一体に接合される。
【０１４３】
第１７シート部材１０６ｋ及び第１８シート部材１０６ｌは、空気袋１０１の四辺の周縁部形状に沿って熱により溶着され、所定の形状に裁断されることで、手首２００側から六層目の切欠部１０４を有する空気袋１０１及び被接合部１０２を構成する。
【０１４４】
また、第１８シート部材１０６ｌは、例えば、接続部１０３の先端を挿入可能な孔部１０６ｌ１を有する。第１８シート部材１０６ｌは、孔部１０６ｌ１に接続部１０３が配置され、そして、孔部１０６ｌ１の周囲が接続部１０３と熱により溶着される。また、第１８シート部材１０６ｌは、カーラ５の内周面に、第１７シート部材１０６ｋの被接合部１０２はカーラ５の外周面に、それぞれ接合層７５を介して接合される。
【０１４５】
また、押圧カフ７１、センシングカフ７３及び引張カフ７４を形成する各シート部材８６、９６、１０６は、例えば、０．１５ｍｍの厚さに形成される。各シート部材８６、９６、１０６は、熱可塑性樹脂材料により形成される。熱可塑性樹脂材料は、熱可塑性エラストマーである。シート部材８６、９６、１０６を構成する熱可塑性樹脂材料としては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。なお、押圧カフ７１、センシングカフ７３は、少なくとも空気袋８１、１０１を構成する複数のシート部材８６、１０６のうち、少なくともカーラ５と溶着されるシート部材８６、１０６がカーラ５と同種材料で構成される。
【０１４６】
例えば、シート部材８６、９６、１０６は、Ｔダイ押し出し成形や射出成形等の成形方式が用いられる。シート部材８６、９６、１０６は、各成形方式で成形された後、所定の形状にサイジングされ、そして、サイジングした個片を溶着等により接合することで袋状構造体８１、９１、１０１を構成する。溶着の方式としては、高周波ウェルダーやレーザー溶着が用いられる。
【０１４７】
流体回路７は、ケース１１、ポンプ１４、流路部１５、開閉弁１６、圧力センサ１７、押圧カフ７１、センシングカフ７３、及び、引張カフ７４によって構成される。以下、流体回路７の具体例を説明する。
【０１４８】
流体回路７は、図５に示すように、例えば、第１開閉弁１６Ａを介してポンプ１４とセンシングカフ７３、第１圧力センサ１７Ａ及び第２圧力センサ１７Ｂとを連続する第１流路７ａと、ポンプ１４及び第１開閉弁１６Ａの間の第１流路７ａから分岐されることで構成され、第２開閉弁１６Ｂ、第３開閉弁１６Ｃ及び第４開閉弁１６Ｄを順次介してポンプ１４と大気とを連続する第２流路７ｂと、第２流路７ｂの第２開閉弁１６Ｂ及び第３開閉弁１６Ｃ間の中途部が分岐されることで構成され、ポンプ１４から引張カフ７４を連続する第３流路７ｃと、第２流路７ｂの第３開閉弁１６Ｃ及び第４開閉弁１６Ｄ間の中途部が分岐されることで構成され、ポンプ１４から押圧カフ７１を連続する第４流路７ｄと、を備えている。
【０１４９】
このような流体回路７は、第２開閉弁１６Ｂ及び第３開閉弁１６Ｃが開き、第１開閉弁１６Ａ及び第４開閉弁１６Ｄが閉じることで、第２流路７ｂから分岐する第３流路７ｃ及び第４流路７ｄがポンプ１４と接続し、ポンプ１４、押圧カフ７１及び引張カフが流体的に接続される。
【０１５０】
流体回路７は、第１開閉弁１６Ａ、第２開閉弁１６Ｂ及び第３開閉弁１６Ｃが開き、そして、第４開閉弁１６Ｄが閉じることで、第１流路７ａ、第２流路７ｂから分岐する第３流路７ｃ及び第４流路７ｄがポンプ１４と接続され、ポンプ１４、押圧カフ７１及び引張カフ、並びに、ポンプ１４及びセンシングカフ７３が流体的に接続される。流体回路７は、第２開閉弁１６Ｂ、第３開閉弁１６Ｃ及び第４開閉弁１６Ｄが開き、そして、第１開閉弁１６Ａが閉じることで、第２流路７ｂ、第３流路７ｃ及び第４流路７ｄがポンプ１４と接続され、ポンプ１４、押圧カフ７１、引張カフ７４及び大気が流体的に接続される。また、流体回路７は、第１開閉弁１６Ａ、第２開閉弁１６Ｂ、第３開閉弁１６Ｃ及び第４開閉弁１６Ｄが開くことで、第１流路７ａ、第２流路７ｂ、第３流路７ｃ及び第４流路７ｄがポンプ１４と接続され、ポンプ１４、押圧カフ７１、センシングカフ７３、引張カフ７４及び大気が流体的に接続される。
【０１５１】
給電部８は、図６及び図７に示すように、装置本体３から突出するカーラ５の一端側の外面に形成された窪み５ｃに設けられる。例えば、給電部８は、充電器の充電ケーブルに設けられたコネクタと接続可能に構成される。
【０１５２】
図３、図６及び図７に示すように、給電部８は、配線部８ａと、給電端子８ｂと、カーラ５の窪み５ｃに配置された配線部８ａを覆うカバー８ｃと、を備えている。配線部８ａは、一端が給電端子８ｂに、他端が制御部５５に接続される。給電端子８ｂは、例えば二つの円形状の端子により構成される。例えば、配線部８ａ及び給電端子８ｂは、ポリイミド等のベースフィルムに導電性金属膜等が設けられたＦＰＣ（Flexible printed circuits）等により形成される。カバー８ｃは、窪み５ｃと同形状に形成され、窪み５ｃを覆うとともに、窪み５ｃに設けられたときに、上面が、カーラ５の短手側の外面と面一となる。
【０１５３】
次に、カフユニット２５０の一部を構成する第１構造体２５１の製造方法の一例について、図２２乃至図３３を用いて以下説明する。
【０１５４】
先ず、図３３に示すように、押圧カフ７１を構成する複数のシートを溶着して一体化した第１構造体２５１を構成する。
【０１５５】
第１構造体２５１の製造では、先ず、材料を裁断し（ステップＳＴ１１）、所定の形状のシートを形成する。なお、ここで、所定の形状とは、空気袋８１及び被接合部８２の形状に加え、溶着代や各加工機に位置合わせを行う位置合わせ用のダミー部等を含む形状である。具体例として、プレス機によって、熱可塑性樹脂材料で形成されたシート状の材料から、図２３乃至図２６に示すように、第１シート８６Ａ、第２シート８６Ｂ、第３シート８６Ｃ及び第４シート８６Ｄをそれぞれ打ち抜く。
【０１５６】
図２３に示すように、第１シート８６Ａは、位置決めピン３０１を挿入可能な位置決めピン用孔７１ａを有し、空気袋８１の外周縁形状よりも大きい矩形状のシート部材である。第１シート８６Ａは、第１シート部材８６ａを形成する。ピン用孔７１ａは、複数、具体例として２つ形成されている。２つのピン用孔７１ａは、第1シート８６Ａの空気袋８１を構成する領域を挟んで空気袋８１の長手方向で両側のそれぞれに１つずつ配置される。
【０１５７】
図２４に示すように、第２シート８６Ｂは、位置決めピン３０１を挿入可能な位置決めピン用孔７１ａ、及び、隣接する空気袋８１を流体的に連通する開口を有し、空気袋８１の外周縁形状よりも大きい矩形状のシート部材である。第２シート８６Ｂは、第２シート部材８６ｂを形成する。ピン用孔７１ａは、複数、具体例として２つ形成されている。ピン用孔７１ａは、第２シート８６Ｂの空気袋８１を構成する領域を挟んで空気袋８１の長手方向で両側のそれぞれに１つずつ配置される。また、ここで、第２シート８６Ｂの開口は、第２シート部材８６ｂの開口８６ｂ１を構成する。
【０１５８】
図２５に示すように、第３シート８６Ｃは、位置決めピン３０１を挿入可能な位置決めピン用孔７１ａ、及び、隣接する空気袋８１を流体的に連通する開口を有し、空気袋８１及び被接合部８２の外周縁形状よりも大きい矩形状のシート部材である。第３シート８６Ｃは、第３シート部材８６ｃを形成する。ピン用孔７１ａは、複数、具体例として２つ形成されている。ピン用孔７１ａは、第３シート８６Ｃの空気袋８１を構成する領域を挟んで空気袋８１の長手方向で両側のそれぞれに１つずつ配置される。ここで、第３シート８６Ｃの開口は、第３シート部材８６ｃの開口８６ｃ１を構成する。
【０１５９】
第４シート８６Ｄは、位置決めピン３０１を挿入可能な位置決めピン用孔７１ａ、及び、接続部８４を挿入する孔部８６ｄ１を有し、空気袋８１及び被接合部８２の外周縁形状よりも大きい矩形状のシート部材である。第４シート８６Ｄは、第４シート部材８６ｄを形成する。ピン用孔７１ａは、複数、具体例として２つ形成されている。ピン用孔７１ａは、第４シート８６Ｄの空気袋８１を構成する領域を挟んで空気袋８１の長手方向で両側のそれぞれに１つずつ配置される。
【０１６０】
次に、図２２に示すように、第４シート８６Ｄに接続部８４を溶着する（ステップＳＴ１２）。具体例として、第４シート８６Ｄに設けられた孔部８６ｄ１に接続部８４を差し込み、高周波溶着機によって、接続部８４を第４シート８６Ｄに溶着する。
【０１６１】
次に、図２２、図２７及び図２８に示すように、第２シート８６Ｂ及び第３シート８６Ｃをブリッジ溶着する（ステップＳＴ１３）。具体的には、第２シート８６Ｂ及び第３シート８６Ｃを積層させて、第２シート８６Ｂ及び第３シート８６Ｃのそれぞれの位置決めピン用孔７１ａを位置決めピン３０１に配置し、下金型３０２に第２シート８６Ｂ及び第３シート８６Ｃを配置する。これによりシート８６Ｂ、８６Ｃが、下金型３０２に対して位置決めされる。なお、下金型３０２には、電極を構成する突起である電極部３０２ａが設けられる。また、電極部３０２ａは、第２シート８６Ｂ及び第３シート８６Ｃを溶着する領域に当接可能な形状に形成されており、この工程で用いられる電極部３０２ａは、端面がブリッジ溶着部８１ｂの形状に形成された突起である。
【０１６２】
そして、高周波溶着機によって、空気袋８１の外周縁形状よりも小さい矩形枠状にブリッジ溶着して、ブリッジ溶着部８１ｂを形成し、第２シート８６Ｂ及び第３シート８６Ｃを一体に溶着する。
【０１６３】
次に、図２９及び図３０に示すように、第２シート８６Ｂに第１シート８６Ａを溶着する。具体的には、ステップＳＴ１３でブリッジ溶着した第２シート８６Ｂ及び第３シート８６Ｃ、並びに第１シート８６Ａのそれぞれの位置決めピン用孔７１ａを位置決めピン３０１に配置し、下金型３０２にブリッジ溶着した第２シート８６Ｂ及び第３シート８６Ｃ、並びに第１シート８６Ａを配置する。これにより、シート８６Ａ、８６Ｂ、８６Ｃは、下金型３０２に位置決めされる。なお、この工程で用いられる下金型３０２の電極部３０２ａは、端面が溶着部８１ａの形状に形成された突起である。
【０１６４】
このとき、図２９に示すように、下金型３０２に設けられた空洞３０２ｂに下金型３０２側に配置される第３シート８６Ｃの少なくとも第２シート８６Ｂ及び第１シート８６Ａを溶着する部位と対向する部位を逃がす。そして、高周波溶着機によって、空気袋８１の外周縁形状に溶着して、溶着部８１ａを形成する。
【０１６５】
次に、溶着により一体化された第２シート８６Ｂ、第３シート８６Ｃ及び第１シート８６Ａと、第４シート８６Ｄと、を溶着する。具体的には、図３１及び図３２に示すように、溶着により一体化された第２シート８６Ｂ、第３シート８６Ｃ、及び第１シート８６Ａと、第４シート８６Ｄと、のそれぞれの位置決めピン用孔７１ａを位置決めピン３０１に配置し、下金型３０２に溶着により一体化された第２シート８６Ｂ、第３シート８６Ｃ、及び第１シート８６Ａ、並びに第４シート８６Ｄを配置する。ここで言う、溶着により一体化された第２シート８６Ｂ、第３シート８６Ｃ、及び第１シート８６Ａとは、図２７及び図２８に示すようにブリッジ溶着により一体化された第２シート８６Ｂ及び第３シート８６Ｃと、図２９及び図３０に示すように溶着部８１ａで溶着された第１シート８６Ａと、である。なお、この工程で用いられる下金型３０２の電極部３０２ａは、端面が溶着部８１ａ及び溶着部８３ａの形状に形成された突起である。すなわち、電極部３０２ａの端面の形状は、空気袋８１及び流路体８３を構成可能な形状である。
【０１６６】
また、このとき、図３１に示すように、下金型３０２に設けられた空洞３０２ｂに第１シート８６Ａ及び第２シート８６Ｂの少なくとも第３シート８６Ｃ及び第４シート８６Ｄを溶着する部位と対向する部位を逃がす。そして、高周波溶着機によって、空気袋８１の外周縁形状及び流路体８３の外周縁形状に溶着して、溶着部８１ａ及び溶着部８３ａを形成する。これらの工程により、第１構造体２５１が製造される。
【０１６７】
次に、図３８に示すように、カフユニット２５０の一部である、センシングカフ７３を構成する複数のシートを溶着して一体化した第２構造体２５２を構成する。なお、本実施形態では、一例として、第１構造体２５１を製造した後に第２構造体２５２が製造される例が説明されるが、第１構造体２５１、及び第２構造体２５２の製造の順番は、限定されない。第１構造体２５１及び第２構造体２５２は、平行して製造されてもよい。
【０１６８】
第２構造体２５２の製造では、図３４に示すように、先ず、材料を裁断し（ステップＳＴ２１）、所定の形状のシートを形成する。なお、ここで、所定の形状とは、空気袋９１及び流路体９２の形状に加え、溶着代や各加工機に位置合わせを行う位置合わせ用のダミー部等を含む形状である。具体例として、プレス機によって、熱可塑性樹脂材料で形成されたシート状の材料から、図３５及び図３６に示すように、第５シート９６Ａ及び第６シート９６Ｂをそれぞれ打ち抜く。
【０１６９】
図３５に示すように、第５シート９６Ａは、位置決めピン３２１を挿入可能な位置決めピン用孔７３ａを有し、空気袋９１及び流路体９２の外周縁形状よりも大きい矩形状のシート部材である。第５シート９６Ａは、第５シート部材９６ａを形成する。ピン用孔７３ａは、複数、具体例として２つ形成されている。２つのピン用孔７３ａは、第５シート９６Ａの空気袋９１を構成する領域を挟んで空気袋９１の長手方向で両側のそれぞれに１つずつ配置される。
【０１７０】
図３６に示すように、第６シート９６Ｂは、位置決めピン３２１を挿入可能な位置決めピン用孔７３ａ、及び、接続部９３を挿入する孔部９６ｂ１を有し、空気袋９１及び流路体９２の外周縁形状よりも大きい矩形状のシート部材である。第６シート９６Ｂは、第６シート部材９６ｂを形成する。ピン用孔７３ａは、複数、具体例として２つ形成されている。２つのピン用孔７３ａは、第６シート９６Ｂの空気袋９１を構成する領域を挟んで空気袋９１の長手方向で両側のそれぞれに１つずつ配置される。
【０１７１】
次に、図３４に示すように、第６シート９６Ｂに接続部９３を溶着する（ステップＳＴ２２）。具体例として、第６シート９６Ｂに設けられた孔部９６ｂ１に接続部９３を差し込み、高周波溶着機によって、接続部９３を第６シート９６Ｂに溶着する。
【０１７２】
次に、図３７及び図３８に示すように、第５シート９６Ａ及び第６シート９６Ｂを溶着する。具体的には、第５シート９６Ａ及び第６シート９６Ｂのそれぞれの位置決めピン用孔７３ａを位置決めピン３２１に配置し、下金型３２０に第５シート９６Ａ及び第６シート９６Ｂを配置する。これにより、下金型３２０に対して、第５シート９６Ａ及び第６シート９６Ｂが位置決めされる。なお、この工程で用いられる下金型３２０の電極部３２２は、端面が空気袋９１の溶着部９１ａ及び流路体９２の溶着部９２ａの形状に形成された突起である。そして、高周波溶着機によって、空気袋９１の外周縁形状、及び流路体９２の外周形状に溶着して、溶着部８１ａ、９１ａを形成する。これらの工程により、第２構造体２５２が製造される。
【０１７３】
次に、第１構造体２５１、第２構造体２５２、及び背板７２からカフユニット２５０を製造する製造法の一例を、図３９乃至図４３を用いて説明する。
【０１７４】
先ず、図３９に示すように、第１の固定を行う（ステップＳＴ３１）。第１の固定では、第１構造体２５１及び背板７２を固定する。具体的には、まず、背板７２を、湾曲する冶具に配置し、加熱炉で加熱することで熱加工し、所定の形状に湾曲させる。ここで言う所定の形状は、カーラ５の、押圧カフ７１を介して背板７２が対向する面に沿う形状である。次に、図４１に示すように、冶具４００に第１構造体２５１をセットする。
【０１７５】
冶具４００は、図４０に示すように、載置面４０１と、位置決め用の位置決めピン４０２と、を有する。載置面４０１は、カーラ５の、押圧カフ７１が配置される面に対応する曲面に形成される。載置面４０１は、少なくとも、空気袋８１の全域と、空気袋９１の全域を配置可能な大きさを有する。ここで配置可能とは、平面視で、載置面４０１と重なる位置に配置されることである。すなわち、載置面４０１に直接接触することで載置面４０１に沿って湾曲可能であり、第２構造体２５２においては、直接または第１構造体２５１及び背板７２の少なくとも一方を介して間接的に載置面４０１に接触することで載置面４０１に沿って湾曲可能となる位置に配置されることである。
【０１７６】
本実施形態では、一例として、ピン４０２がピン用孔７１ａ、７３ａにセットされた状態で、載置面４０１は、空気袋８１の全域と、流路体８３の一部とを配置可能であり、かつ、空気袋９１の全域と、流路体９２の一部と、を配置可能な大きさを有する。
【０１７７】
ここで言う、カーラ５の、押圧カフ７１が配置される面に対応する曲面とは、当該曲面に沿って形成されるカフユニット２５０をカーラ５に固定したときに、カフユニット２５０がカーラ５に固定する前に比較して湾曲することで押圧カフ７１及びセンシングカフ７３の少なくとも一方に、膨張を阻害するしわが発生することを抑制できる曲面である。載置面４０１は、例えば、カーラ５の、押圧カフ７１が配置される面と同じ曲率を有する曲面である。他の例では、載置面４０１は、カーラ５の、押圧カフ７１が配置される面と略同じ曲率を有する曲面である。
【０１７８】
位置決め用の位置決めピン４０２は、複数、具体例として２つ形成される。位置決めピン４０２は、第１構造体２５１の各ピン用孔７１ａ、及び第２構造体２５２の各ピン用孔７３ａに配置可能に構成される。また、位置決め用の位置決めピン４０２は、冶具４００に対する第１構造体２５１及び第２構造体２５２の移動を防止可能な形状、具体例として、ピン用孔７１ａ、７３ａに嵌る形状に形成される。一方の位置決めピン４０２は、載置面４０１の例えば一端に配置される。他方のピン４０２は、載置面４０１の例えば他端に配置される。
【０１７９】
第１構造体２５１は、位置決め用の位置決めピン４０２にセットされる。具体例として、第１構造体２５１の一方のピン用孔７１ａに一方の位置決めピン４０２を配置し、他方のピン用孔７１ａに他方の位置決めピン４０２を配置する。ここで言う一方のピン用孔７１ａは、シート８６Ａ、８６Ｂ、８６Ｃ、８６Ｄのそれぞれの２つのピン用孔７１ａのうち、対向配置される一方のピン用孔７１ａである。他方のピン用孔７１ａは、対向配置される他方のピン用孔７１ａである。次に、載置面４０１に載置された第１構造体２５１を、載置面４０１押し付けることで、第１構造体２５１を載置面４０１に沿わせて湾曲させる。
【０１８０】
次に、図４２に示すように、第１構造体２５１の載置面４０１と反対側の空気袋８１の表面に両面テープを貼り付けて接合層７５を形成する。次に、この接合層７５に、背板７２を固定する。
【０１８１】
次に、第２の固定を行う（ステップＳＴ３２）。第２の固定では、背板７２に、第２構造体２５２を固定する。具体例として、背板７２の表面に両面テープを貼り付けて接合層７５を形成する。次に、図４３に示すように、第２構造体２５２を位置決め用の位置決めピン４０２にセットする。具体例として、第２構造体２５２の一方のピン用孔７３ａに、一方の位置決めピン４０２を配置し、他方のピン用孔７３ａに、他方の位置決めピン４０２を配置する。ここで言う一方のピン用孔７３ａは、シート９６Ａ、９６Ｂのそれぞれの２つのピン用孔７３ａのうち、対向配置される一方のピン用孔７３ａである。他方のピン用孔７３ａは、対向配置される他方のピン用孔７１ａである。
【０１８２】
次に、第２構造体２５２を背板７２に押し付けることで、第２構造体２５２を背板７２に固定する。
【０１８３】
次に、第１構造体２５１の接合代９４を、第２構造体２５２に接合する（ステップＳＴ３３）。具体例として、接合代９４の外縁部のうち、空気袋９１の長手方向に沿う２つの縁部、及び第２構造体２５２の背板７２側の空気袋８１の溶着部８１ａの長手方向に沿う２つの縁部を高周波溶着機によって溶着することで、接合部９４ａを形成する。
【０１８４】
このように、第１構造体２５１が接合代９４によって第２構造体２５２に接合されることで、第１構造体２５１及び第２構造体２５２が一体化される。
【０１８５】
次に、一体化された、第１構造体２５１、背板７２、及び第２構造体２５２を裁断することで、押圧カフ７１の形状、及びセンシングカフ７３の形状に形成する（ステップＳＴ３４）。裁断は、例えば、プレス機や、鋏によってなされる。
【０１８６】
これらの工程により、カフユニット２５０が製造される。次に、製造したカフユニット２５０の所定の箇所に、ロット番号等の情報を印字する（ステップＳＴ３５）。このように構成されるカフユニット２５０は、カーラ５の、押圧カフ７１が固定される面に対応する曲面に構成された載置面４０１上で、第１構造体２５１及び第２構造体２５２が溶着されることで、カーラ５の、押圧カフ７１が固定される内周面にならって湾曲する形状に構成される。
【０１８７】
次に、図４４に示すように、引張カフ７４の製造方法の一例を説明する。
【０１８８】
先ず、材料を裁断し（ステップＳＴ４１）、所定の形状のシート部材１０６を形成する。なお、ここで、所定の形状とは、空気袋１０１及び被接合部１０２の形状に加え、溶着代や各加工機に位置合わせを行う位置合わせ用のダミー部等を含む形状である。具体例として、プレス機によって、熱可塑性樹脂材料で形成されたシート状の材料から、第７シート部材１０６ａ、第８シート部材１０６ｂ、第９シート部材１０６ｃ、第１０シート部材１０６ｄ、第１１シート部材１０６ｅ、第１２シート部材１０６ｆ、第１３シート部材１０６ｇ、第１４シート部材１０６ｈ、第１５シート部材１０６ｉ、第１６シート部材１０６ｊ、第１７シート部材１０６ｋ、及び第１８シート部材１０６ｌをそれぞれ打ち抜く。
【０１８９】
次に、第１８シート部材１０６ｌに接続部１０３を溶着する（ステップＳＴ４２）。具体例として、第１８シート部材１０６ｌの中央側に設けられた孔部１０６ｌ１に接続部１０３を差し込み、高周波溶着機によって、接続部１０３を第１８シート１０６ｌに溶着する。
【０１９０】
次に、ブリッジ溶着を行う（ステップＳＴ４３）。具体例として、先ず、冶具の位置決めピンに第８シート部材１０６ｂ及び第９シート部材１０６ｃを順次セットし、第８シート部材１０６ｂ上に第９シート部材１０６ｃを重ねて配置する。次に、シート部材１０６ｂ，１０６ｃの開口１０６ｂ１，１０６ｃ１を囲うように、高周波溶着機によって矩形枠状に溶着することで、ブリッジ溶着部１０１ｂを形成し、シート部材１０６ｂ、１０６ｃを一体に溶着する。
【０１９１】
次に、冶具の位置決めピンに第１２シート部材１０６ｆ及び第１３シート部材１０６ｇを順次セットし、第１２シート部材１０６ｆ上に第１３シート部材１０６ｇを重ねて配置する。次に、シート部材１０６ｇ，１０６ｆの開口１０６ｇ１，１０６ｆ１を囲うように、高周波溶着機によって矩形枠状に溶着することで、ブリッジ溶着部１０１ｂを形成し、シート部材１０６ｇ、１０６ｆを一体に溶着する。
【０１９２】
次に、冶具の位置決めピンに第１６シート部材１０６ｊ及び第１７シート部材１０６ｋを順次セットし、第１６シート部材１０６ｊ上に第１７シート部材１０６ｋを重ねて配置する。次に、シート部材１０６ｊ，１０６ｋの開口１０６ｊ１，１０６ｋ１を囲うように、高周波溶着機によって矩形枠状に溶着することで、ブリッジ溶着部１０１ｂを形成し、シート部材１０６ｊ、１０６ｋを一体に溶着する。
【０１９３】
次に、第１外層１１１を形成する（ステップＳＴ４４）。具体的には、冶具の位置決めピンに、ステップＳＴ４３でブリッジ溶着した第８シート部材１０６ｂ及び第９シート部材１０６ｃ、並びに第７シート部材１０６ａを順次セットし、高周波溶着機によって、空気袋１０１の外周縁形状に溶着して、溶着部１０１ａを形成する。これにより、第１外層１１１が形成される。
【０１９４】
次に、第２外層１１４を形成する（ステップＳＴ４５）。具体的には、冶具の位置決めピンに、ステップＳＴ３３でブリッジ溶着した第１６シート部材１０６ｊ及び第１７シート部材１０６ｋ、並びに、ステップＳＴ４２で接続部１０３を溶着した第１８シート部材１０６ｌを順次セットし、高周波溶着機によって、空気袋１０１の外周縁形状に溶着して、溶着部１０１ａを形成する。これにより、第２外層１１４が形成される。
【０１９５】
次に、形成した第２外層１１４に被接合部１０２を形成する（ステップＳＴ４６）。具体的には、冶具の位置決めピンに第２外層１１４をセットし、第６層の空気袋１０１、被接合部１０２及び切欠部１０４の外周縁形状に裁断可能な形状のプレス型にステップＳＴ４５で形成した第２外層１１４を配置する。次に、第２外層１１４の上面に当て板を配置し、プレス加工機によりプレス加工することで、第２外層１１４は、第六層の空気袋１０１、被接合部１０２及び切欠部１０４の外周縁形状に裁断され、第２外層１１４に被接合部１０２が形成される。
【０１９６】
次に、第１中間層１１２及び第２中間層１１３を形成する（ステップＳＴ４７）。先ず、冶具の位置決めピンに、ステップＳＴ４３でブリッジ溶着された第１２シート部材１０６ｆ及び第１３シート部材１０６ｇ間に中間電極を配置する。次に、第２外層１１４、ブリッジ溶着していないシート部材１０６ｈ、１０６ｉ、中間電極を間に配置したシート部材１０６ｇ、１０６ｆ、ブリッジ溶着していないシート部材１０６ｄ、１０６ｅ、及び、第１外層１１１を順次積層し、高周波溶着機によって、それぞれ空気袋１０１の外周縁形状に溶着して、溶着部１０１ａを形成する。これにより、第１中間層１１２及び第２中間層１１３が形成される。即ち、第１外層１１１、第１中間層１１２、第２中間層１１３及び第２外層１１４の６層の空気袋１０１が形成される。
【０１９７】
次に、形成した第１外層１１１、第１中間層１１２及び第２中間層１１３の仕上げ裁断する（ステップＳＴ４８）。これらの工程により、引張カフ７４が製造される。次に、製造した引張カフ７４の所定の箇所に、ロット番号等の情報を印字する（ステップＳＴ４９）。
【０１９８】
次に、図４５に示すように、血圧測定装置１の製造方法の一例を説明する。
【０１９９】
先ず、カーラ５に給電部８を形成する（ステップＳＴ５１）。カーラ５に配線部８ａ及び給電端子８ｂを構成するＦＰＣをカーラ５のカバー部５ａ及び窪み５ｃに両面テープ等により接合し、窪み５ｃにカバー８ｃを両面テープ等により接合する。
【０２００】
次に、カーラ５にカフ構造体６を接合する（ステップＳＴ５２）。具体例として、先ず、カフユニット２５０の押圧カフ７１の第４シート部材８６ｄのカーラ５と対向する領域、及び、被接合部８２に接合層７５である両面テープを貼り付けて、カーラ５に押圧カフ７１を貼り付ける。押圧カフ７１がカーラ５に接合層７５により固定されることで、背板７２及びセンシングカフ７３も、同時にカーラ５に取り付けられる。なお、この工程において、押圧カフ７１の接続部８４及びセンシングカフ７３の接続部９３は、カーラ５のカバー部５ａの第１孔部５ｆ１及び第２孔部５ｆ２に挿通させておく。
【０２０１】
次に、引張カフ７４の第１８シート部材１０６ｌのカーラ５と対向する領域、及び、被接合部１０２に両面テープを貼り付けて、カーラ５並びにカーラ５の内面に配置された押圧カフ７１の流路体８３及びセンシングカフ７３の流路体９２に引張カフ７４を貼り付ける。これらの工程により、カーラ５にカフ構造体６が接合される。
【０２０２】
次に、カバー部５ａにシール部材３６及び裏カバー３５を配置し、第１締結部材３５ａによりカバー部５ａに裏カバー３５を固定し（ステップＳＴ５３）、裏蓋を構成する。
【０２０３】
次に、裏カバー３５を除く装置本体３を一体に組み立てる（ステップＳＴ５４）。次に、装置本体３の外郭ケース３１の手首２００側の端部に裏カバー３５を配置し、第２締結部材３５ｂにより外郭ケース３１及び裏カバー３５を固定する（ステップＳＴ５５）。そして、外郭ケース３１に第１ベルト６１及び第２ベルト６２を組み立てる（ステップＳＴ５６）。これらの工程により、血圧測定装置１が製造される。
【０２０４】
次に、血圧測定装置１を使用した血圧値の測定の一例について、図４６乃至図５０を用いて説明する。図４６は、血圧測定装置１を用いた血圧測定の一例を示す流れ図であり、ユーザの動作及び制御部５５の動作の双方を示す。また、図４７乃至図４９は、ユーザが手首２００に血圧測定装置１を装着する一例を示す。
【０２０５】
先ず、ユーザは、手首２００に血圧測定装置１を装着する（ステップＳＴ６１）。具体例として、例えば、ユーザは、図４７に示すように、手首２００の一方をカーラ５内に挿入する。
【０２０６】
このとき、血圧測定装置１は、装置本体３及びセンシングカフ７３がカーラ５の相対する位置に配置されることから、センシングカフ７３を手首２００の手の平側の動脈２１０が存する領域に配置される。これにより、装置本体３及び引張カフ７４は、手首２００の手の甲側に配される。
【０２０７】
次いで図４８に示すように、ユーザが血圧測定装置１を配した手とは反対の手によって、第１ベルト６１の尾錠６１ｂの枠状体６１ｅに第２ベルト６２を通す。次いで、ユーザは、第２ベルト６２を引っ張り、カーラ５の内周面側の部材、即ち、カフ構造体６を手首２００に密着させ、小孔６２ａにつく棒６１ｆを挿入する。これにより、図４及び図４９に示すように、第１ベルト６１及び第２ベルト６２が接続され、血圧測定装置１が手首２００に装着される。
【０２０８】
次に、ユーザは、操作部１３を操作して、血圧値の測定開始に対応した指令の入力を行う。指令の入力操作が行われた操作部１３は、測定開始に対応した電気信号を制御部５５へ出力する（ステップＳＴ６２）。制御部５５は、当該電気信号を受信すると、例えば、第１開閉弁１６Ａ、第２開閉弁１６Ｂ及び第３開閉弁１６Ｃを開くとともに、第４開閉弁１６Ｄを閉じ、ポンプ１４を駆動し、第１流路７ａ、第２流路７ｂ、第３流路７ｃ及び第４流路７ｄを介して押圧カフ７１、センシングカフ７３及び引張カフ７４へ圧縮空気を供給する（ステップＳＴ６３）。これにより、押圧カフ７１、センシングカフ７３及び引張カフ７４は膨張を開始する。
【０２０９】
第１圧力センサ１７Ａ及び第２圧力センサ１７Ｂは、押圧カフ７１、センシングカフ７３及び引張カフ７４の圧力を検出し、この圧力に対応した電気信号を制御部５５へ出力する（ステップＳＴ６４）。制御部５５は、受信した電気信号に基づいて、押圧カフ７１、センシングカフ７３及び引張カフ７４の内部空間の圧力が血圧測定のための所定の圧力に達しているか否かを判断する（ステップＳＴ６５）。例えば、押圧カフ７１及び引張カフ７４の内圧が所定の圧力に達しておらず、且つ、センシングカフ７３の内圧が所定の圧力に達した場合には、制御部５５は、第１開閉弁１６Ａを閉じ、第２流路７ｂ、第３流路７ｃ、第４流路７ｄを介して圧縮空気を供給する。
【０２１０】
押圧カフ７１及び引張カフ７４の内圧並びにセンシングカフ７３の内圧が、全て所定の圧力に達した場合には、制御部５５は、ポンプ１４の駆動を停止する（ステップＳＴ６５でＹＥＳ）。このとき、図４に二点鎖線で示すように、押圧カフ７１及び引張カフ７４は十分に膨張しており、膨張した押圧カフ７１は、背板７２を押圧する。また、引張カフ７４は、手首２００から離間する方向に、カーラ５を押圧することから、ベルト４、カーラ５及び装置本体３は、手首２００から離間する方向に移動し、結果、押圧カフ７１、背板７２、センシングカフ７３が手首２００側に引っ張られる。加えて、引張カフ７４の膨張によってベルト４、カーラ５及び装置本体３が手首２００から離間する方向に移動するときに、ベルト４及びカーラ５が、手首２００の両側方に向かって移動し、手首２００の両側方に密着した状態で、ベルト４、カーラ５及び装置本体３が移動する。このため、手首２００の皮膚に密着したベルト４及びカーラ５は、手首２００の両側方の皮膚を手の甲側に引っ張る。なお、カーラ５は、手首２００の皮膚を引っ張ることができれば、例えば、シート部材８６、１０６を介して間接的に手首２００の皮膚に接触する構成であってもよい。
【０２１１】
さらに、センシングカフ７３は、内圧が血圧を測定するために要する圧力となるように所定の空気量が供給され、膨張しており、そして、押圧カフ７１に押圧された背板７２によって手首２００に向かって押圧される。このため、センシングカフ７３は、手首２００内の動脈２１０を押圧し、図５０に示すように動脈２１０を閉塞する。
【０２１２】
また、制御部５５は、例えば、第３開閉弁１６Ｃを制御し、第３開閉弁１６Ｃの開閉を繰り返すか、又は、第３開閉弁１６Ｃの開度を調整することで、押圧カフ７１の内部空間の圧力を加圧させる。この加圧の過程において第２圧力センサ１７Ｂが出力する電気信号に基づいて、制御部５５は、最高血圧及び最低血圧等の血圧値や心拍数等の測定結果を求める（ステップＳＴ６６）。制御部５５は、求めた測定結果に対応した画像信号を、表示部１２へ出力し、測定結果を表示部１２に表示する（ステップＳＴ６７）。また、制御部５５は、血圧測定終了後、第１開閉弁１６Ａ、第２開閉弁１６Ｂ、第３開閉弁１６Ｃ及び第４開閉弁１６Ｄを開く。
【０２１３】
表示部１２は、画像信号を受信すると、当該測定結果を画面に表示する。使用者は、表示部１２を視認することで、当該測定結果を確認する。なお、使用者は、測定終了後、小孔６２ａからつく棒６１ｆを外し、枠状体６１ｅから第２ベルト６２を外し、カーラ５から手首２００を抜くことで、手首２００から血圧測定装置１を取り外す。
【０２１４】
このように構成された本実施形態に係る血圧測定装置１は、センシングカフ７３の接合代９４が接合部９４ａにより押圧カフ７１の空気袋８１の溶着部８１ａ、換言すると空気袋８１の外縁部に接合されることで、押圧カフ７１及びセンシングカフ７３が固定されて一体化されることで、カフユニット２５０を構成する。
【０２１５】
このように、押圧カフ７１及びセンシングカフ７３が固定されることで一体化したカフユニット２５０を構成することで、押圧カフ７１及びセンシングカフ７３を、一体物として、カーラ５に固定することが可能となる。
【０２１６】
この為、カーラ５に対する一度の取り付け作業で、押圧カフ７１及びセンシングカフ７３を固定できるので、押圧カフ７１及びセンシングカフ７３を別々にカーラ５に対して固定する構成に比較して、カーラ５に対する押圧カフ７１及びセンシングカフ７３の位置ずれを抑制できる。
【０２１７】
カーラ５に対する押圧カフ７１及びセンシングカフ７３の位置ずれを抑制できるので、カーラ５に対するセンシングカフ７３の位置が大きくずれることが生じることを抑制できる。結果、血圧測定装置１の測定精度の低下を抑制できる。
【０２１８】
さらに、カフユニット２５０を構成することで、押圧カフ７１、背板７２、及びセンシングカフ７３をそれぞれカーラ５に対して固定する作業が不要になることで、血圧測定装置１を製造する作業の効率を向上できる。
【０２１９】
さらに、接合代９４がセンシングカフ７３に一体に形成されることで、カフユニット２５０の部品数が増えることを抑制できる。
【０２２０】
さらに、接合代９４が、押圧カフ７１の複数の空気袋８１のうちセンシングカフ７３の空気袋９１に隣接する空気袋８１に接合されることで、押圧カフ７１の膨張が接合代９４により阻害されることがない。
【０２２１】
さらに、接合代９４がセンシングカフ７３の空気袋９１の長手方向に沿う外縁部に形成され、かつ、接合代９４の接合部９４ａが、押圧カフ７１の背板７２側の空気袋８１の長手方向に沿う外縁部となる溶着部８１ａに接合されることで、接合部９４ａが、空気袋８１の溶着部８１ａの広い範囲、及び、カーラ５の外側に面する範囲に接合される。結果、押圧カフ７１及びセンシングカフ７３の間に、ユーザの汗等の水が浸入することを抑制できる。
【０２２２】
さらに、カフユニット２５０は、冶具４００により製造されることで、冶具４００から取り外されてカーラ５に固定される前の状態において、カーラ５の押圧カフ７１が接合される面に倣って湾曲する形状に構成される。この為、カフユニット２５０をカーラ５に接合したときに、押圧カフ７１及びセンシングカフ７３に、膨張を阻害するしわが発生することを抑制できる。
【０２２３】
さらに、カフユニット２５０が背板７２を備える構成であることから、押圧カフ７１、背板７２、及びセンシングカフ７３の一体物をカーラ５に一度の取り付け作業で固定できるので、血圧測定装置１の製造工程数を低減できる。
【０２２４】
さらに、カーラ５の、押圧カフ７１が固定される面に対応する曲面に構成された載置面４０１を有する冶具４００を用いて、押圧カフ７１及びセンシングカフ７３を一体に固定することで、押圧カフ７１及びセンシングカフ７３を、湾曲した姿勢で、一体に固定できる。結果、押圧カフ７１及びセンシングカフ７３が一体に固定されたカフユニット２５０をカーラ５に固定したときに、押圧カフ７１の空気袋８１、及びセンシングカフ７３の空気袋９１にしわが生じて空気袋８１、９１の膨張が阻害されるという状態が生じることを抑制できる。すなわち、押圧カフ７１及びセンシングカフ７３を、平面状の載置面を有する冶具を用いて一体に固定してカフユニットを構成すると、カフユニットは、平面状の載置面に合わせて、センシングカフ７３の上面が平面となる形状に構成される。このカフユニットをカーラ５に固定すると、カフユニットがカーラ５の形状に合わせて湾曲することで生じる内外周差によって、空気袋８１、９１にしわが生じる可能性がある。
【０２２５】
しかしながら、本実施形態では、載置面４０１を有する冶具４００を用いて、押圧カフ７１及びセンシングカフ７３を接合代９４による接合による固定により一体化することで、カフユニット２５０をカーラ５に固定したときに、空気袋８１、９１に、膨張を阻害するしわが発生することを抑制できる。
【０２２６】
さらに、冶具４００が位置決め用のピン４０２を複数有し、第１構造体２５１が複数のピン用孔７１ａを有し、かつ、第２構造体２５２が複数のピン用孔７３ａを有する。そして、第１構造体２５１及び第２構造体２５２は、それぞれがピン４０２にセットして位置決めされた状態で、固定して一体化される。この為、押圧カフ７１に対するセンシングカフ７３の位置ずれの発生を抑制できる。
【０２２７】
さらに、ピン用孔７１ａは、第１構造体２５１を製造する工程で、金型３０２のピン３０１による金型３０２への位置決めにも用いられる。この為、ピン用孔７１ａに対する押圧カフ７１の位置が固定される。さらに、ピン用孔７３ａは、第２構造体２５２を製造する工程で、金型３２０のピン３２１による金型３２０への位置決めに用いられる。この為、ピン用孔７３ａに対するセンシングカフ７３の位置が固定される。このように、ピン用孔７１ａ、７３ａが、構造体２５１、２５２の製造工程、及びカフユニット２５０の製造工程で用いられることで、押圧カフ７１に対するセンシングカフ７３の位置ずれの発生を、より一層抑制できる。
【０２２８】
さらに、位置決めピン４０２が複数設けられ、ピン用孔７１ａ、７３ａがそれぞれ複数設けられ、複数の位置決めピン４０２が複数のピン用孔７１ａ、７３ａにセットされることで、載置面４０１に対して、構造体２５１、２５２が位置決めピン４０２回りに回転する等の移動することを抑制できる。
【０２２９】
さらに、第１構造体２５１及び第２構造体２５２を固定して一体化した後に裁断を行うことで、カフユニット２５０の製造の作業効率を向上できる。
【０２３０】
なお、本実施形態の血圧測定装置１は、センシングカフ７３の接合代９４が、接合部９４ａによって、押圧カフ７１の背板７２側の空気袋８１の長手方向に沿う２つの縁部に設けられる溶着部８１ａに接合される構成が一例として説明されたが、これに限定されない。センシングカフ７３は、例えば、空気袋８１を囲む環状に構成される接合部９４ａにより、押圧カフ７１に固定されてもよい。この構成では、接合代９４は、空気袋９１の溶着部９１ａ及び流路体９２の溶着部９２ａに連続して形成される。そして、接合代９４の長手方向に沿う外縁部が、空気袋８１の長手方向に沿う溶着部８１ａに接合される。そして、接合代９４の短手方向に沿う外縁部が空気袋８１の短手方向に沿う溶着部８１ａに接合される。そして、流路体９２の一部が、押圧カフ７１の背板７２側の空気袋８１の溶着部８１ａの一部に固定される。流路体９２及び溶着部８１ａの固定は、溶着以外の固定手段により固定されてもよい。この固定手段は、例えば、両面テープや接着剤である。
【０２３１】
また、本実施形態では、第１構造体２５１及び第２構造体２５２がそれぞれ別々に製造され、第２構造体２５２の接合代９４を第１構造体２５１に接合する製造方法が一例として説明されたが、これに限定されない。他の例では、第１構造体２５１の製造工程において、ステップＳＴ１４及び図２９に示すように、押圧カフ７１のセンシングカフ７３側の空気袋８１を構成する第１シート８６Ａ及び第２シート８６Ｂを溶着して溶着部８１ａを形成する工程で、第２構造体２５２の接合代９４も同時に溶着して接合してもよい。換言すると、一度の溶接により、溶着部８１ａ及び接合部９４ａを形成してもよい。
【０２３２】
この一例として、図５１に示すように、金型３０２に、溶着された第２シート８６Ｂ及び第３シート８６Ｃを配置し、第２シート８６Ｂ上に第１シート８６Ａを配置し、さらに、第１シート８６Ａ上に、第２構造体２５２を配置する。このとき、それぞれのピン用孔７１ａ，７３ａは、金型３０２のピン３０１に配置されて位置決めされる。
【０２３３】
そして、第２構造体２５２の接合代９４を構成する第５シート９６Ａ及び第６シート９６Ｂと、第１シート８６Ａ及び第２シート８６Ｂと、を溶着することで、溶着部８１ａ及び接合部９４ａとを同時に形成する。なお、図５１では、第２構造体２５２は、接合部９４ａの近傍のみを示しており、他の構成は省略している。
【０２３４】
また、本実施形態の血圧測定装置１は、接合代９４が、センシングカフ７３を構成する２枚のシート部材９６ａ、９６ｂにより構成される例が一例として説明されたが、これに限定されない。接合代９４は、例えば図５２及び図５３に示すように、シート部材９６ａまたはシート部材９６ｂに形成されてもよい。
【０２３５】
図５３に示すように、接合代９４が、手首２００側に配置される第５シート部材９６ａに形成されることで、センシングカフ７３の手首２００側の表面に、シート部材９６ａの厚みによる段差が形成されることが抑制される。この為、この段差に起因して手首２００及びセンシングカフ７３の間に隙間が形成されることを抑制できるので、血圧測定装置１の測定精度が低下することを抑制できる。
【０２３６】
なお、図５２及び図５３に示すように、接合代９４が、第５シート部材９６ａまたは第６シート部材９６ｂに形成される構成であっても、図５１に示すように、接合代９４と、空気袋８１を構成する第１シート８６Ａ及び第２シート８６Ｂと、を同時に溶着することで、溶着部８１ａ及び接合代９４ａを同時に形成してもよい。この場合では、３枚のシートが同時に溶着される。
【０２３７】
また、本実施形態の血圧測定装置１は、第１構造体２５１及び第２構造体２５２を接合代９４の接合部９４ａにより接合することで一体にした後に、裁断を施すことで、押圧カフ７１の形状に形成し、かつセンシングカフ７３の形状に形成する製造方法により製造される一例が説明されたが、これに限定されない。
【０２３８】
他の例では、第１構造体２５１を形成した後、第１構造体２５１に裁断を施すことで、押圧カフ７１に近い形状に形成し、第２構造体２５２を形成した後、第２構造体２５２に裁断を施すことで、センシングカフ７３に近い形状に形成し、これらを、冶具４００を用いて、接合部９４ａにより接合することで一体に固定してもよい。なお、ここで言う押圧カフ７１に近い形状とは、押圧カフ７１の外形にピン用孔７１ａを構成する程度の裁断代を残す形状である。センシングカフ７３に近い形状とは、センシングカフ７３の外形にピン用孔７３ａを構成する程度の裁断代を残す形状である。そして、押圧カフ７１及びセンシングカフ７３を一体化した後、ピン用孔７１ａを構成する裁断代、及びピン用孔７３ａを構成する裁断代を裁断する。
【０２３９】
また、本実施形態の血圧測定装置１では、第１構造体２５１のシート部材の溶着工程（ステップＳＴ１４）は、図２９乃至図３１に示すように、ブリッジ溶着されて一体化した第２シート８６Ｂ及び第３シート８６Ｃの第２シート８６Ｂに第１シート８６Ａを溶着して一体化し、溶着されて一体化した第１シート８６Ａ、第２シート８６Ｂ、及び第３シート８６Ｃに第４シート８６Ｄを溶着する工程を一例として説明されたがこれに限定されない。第１構造体２５１のシート部材の溶着工程（ステップＳＴ１４）は、例えば、ブリッジ溶着されて一体化した第２シート８６Ｂ及び第３シート８６Ｃの第２シート８６Ｂと、第１シート８６Ａの溶着と、ブリッジ溶着されて一体化した第２シート８６Ｂ及び第３シート８６Ｃの第３シート８６Ｃと、第４シート８６Ｄの溶着と、を一度の工程で行ってもよい。この一例として、以下の方法がある。
【０２４０】
先ず、ブリッジ溶着した第２シート８６Ｂ及び第３シート８６Ｃの間に中間電極を配置する。次に、冶具の位置決めピンに第１シート８６Ａ、中間電極を配置した第２シート８６Ｂ及び第３シート８６Ｃ、並びに、接続部８４が溶着された第４シート８６Ｄを順次セットし、シート８６Ａ、８６Ｂ、８６Ｃ、８６Ｄを重ねて配置する。そして、シート８６Ａ、８６Ｂ、８６Ｃ、８６Ｄを高周波溶着機によって押圧カフ７１の外周形状に溶着し、溶着部８１ａ、８３ａを形成し、シート８６Ａ、８６Ｂ、８６Ｃ、８６Ｄを一体に溶着する。これにより、空気袋８１及び流路体８３が形成される。
【０２４１】
また、本実施形態の血圧測定装置１では、接合代９４は、押圧カフ７１の空気袋８１の外縁部に接合される構成として、溶着部８１ａに接合される構成が一例として説明されたが、これに限定されない。接合代９４は、空気袋８１の外面において、外縁よりも内側であって当該外縁の周囲の領域に固定されてもよい。ここで言う、空気袋８１の外面において外縁より内側であって当該外縁の周囲の領域は、空気袋８１の外縁部の一例である。
【０２４２】
なお、本発明は上述した実施形態に限定されない。上述した実施形態では、センシングカフ７３の接合代９４を押圧カフ７１に接合する接合手段として熱による溶着が用いられる構成が一例として説明されたが、これに限定されない。他の例では、熱以外の溶着が用いられてもよい。また、接合手段は、他の例では、接着剤や、両面テープであってもよい。
【０２４３】
また、本実施形態では、第１構造体２５１の上に背板７２を配置して接合層７５により固定した後、第１構造体２５１及び背板７２上に、第２構造体２５２を配置して第２構造体及び背板７２を接合層７５により固定し、その後で、第１構造体２５１及び第２構造体２５２を溶着により一体に固定する製造方法が一例として説明されたが、これに限定されない。
【０２４４】
例えば、第１構造体２５１上に第２構造体２５２を配置して第１構造体２５１及び第２構造体２５２を溶着により固定して一体化した後に、第１構造体２５１及び第２構造体２５２間に背板７２を配置して背板７２を第１構造体２５１及び第２構造体２５２に固定してもよい。
【０２４５】
また、本実施形態では、冶具４００の載置面４０１に、第１構造体２５１、背板７２、及び第２構造体２５２が順次配置される製造方法が一例として説明されたが、これに限定されない。他の例では、第１構造体２５１及び背板７２を一体に固定した後、これら一体物を冶具４００の位置決めピン４０２にセットし、次に第２構造体２５２を位置決めピン４０２にセットし、次に、背板７２及び第２構造体２５２を固定し、次に第１構造体２５１及び第２構造体２５２を溶着により固定して一体化してもよい。
【０２４６】
また、本実施形態では、第１構造体２５１及び第２構造体２５２は、それぞれ、平板状に形成された後、冶具４００の載置面４０１に載置されることで、載置面４０１に沿って湾曲される例が一例として説明されたが、これに限定されない。第１構造体２５１及び第２構造体２５２は、それぞれ、カーラ５の押圧カフ７１が配置される面に対応した曲面に構成された載置面を有する金型により形成されることで、カーラ５の押圧カフ７１が配置される面に対応した曲面に沿って湾曲した状態で、溶着部８１ａ、８３ａ、９１ａ、９２ａが形成されてもよい。
【０２４７】
また、本実施形態では、背板７２は、一例として、両面テープにより構成される接合層７５により、押圧カフ７１及びセンシングカフ７３に固定される構成が一例として説明されたが、これに限定されない。背板７２は、接着剤等の、両面テープ以外の固定手段により固定されてもよい。
【０２４８】
また、本実施形態では、冶具４００の載置面４０１は、少なくとも空気袋８１の全域及び空気袋９１を配置可能な構成として、空気袋８１の全域、空気袋９１の全域、流路体８３の一部、及び流路体９２の一部を配置可能な大きさを有する構成が一例として説明されたが、これに限定されない。載置面４０１は、空気袋８１の全域、流路体８３の全域、空気袋９１の全域、及び流路体９２の全域を配置可能な大きさを有してもよい。
【０２４９】
また、本実施形態では、押圧カフ７１は、複数の空気袋８１を備える構成として、２つの空気袋８１を備える構成が一例として説明されたが、これに限定されない。押圧カフ７１は、例えば３つ以上の空気袋８１を備える構成であってもよい。
【０２５０】
即ち、本発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。
【符号の説明】
【０２５１】
１…血圧測定装置
３…装置本体
４…ベルト
５…カーラ
５ａ…カバー部
５ｂ…逃げ部
５ｃ…窪み
５ｄ…インサート部材
５ｅ…螺子孔
５ｆ…孔部
５ｆ１…第１孔部
５ｆ２…第２孔部
５ｆ３…第３孔部
６…カフ構造体
７…流体回路
７ａ…第１流路
７ｂ…第２流路
７ｃ…第３流路
７ｄ…第４流路
８…給電部
８ａ…配線部
８ｂ…給電端子
８ｃ…カバー
１１…ケース
１２…表示部
１３…操作部
１４…ポンプ
１５…流路部
１６…開閉弁
１６Ａ…第１開閉弁
１６Ｂ…第２開閉弁
１６Ｃ…第３開閉弁
１６Ｄ…第４開閉弁
１７…圧力センサ
１７Ａ…第１圧力センサ
１７Ｂ…第２圧力センサ
１８…電力供給部
１９…振動モータ
２０…制御基板
３１…外郭ケース
３１ａ…ラグ
３１ｂ…バネ棒
３２…風防
３３…基部
３５…裏カバー
３５ａ…第１締結部材
３５ｂ…第２締結部材
３５ｃ…孔部
３５ｄ…孔部
３６…シール部材
４１…釦
４２…センサ
４３…タッチパネル
５１…基板
５２…加速度センサ
５３…通信部
５４…記憶部
５５…制御部
５６…メインＣＰＵ
５７…サブＣＰＵ
６１…第１ベルト
６１ａ…ベルト部
６１ｂ…尾錠
６１ｃ…第１孔部
６１ｄ…第２孔部
６１ｅ…枠状体
６１ｆ…つく棒
６２…第２ベルト
６２ａ…小孔
６２ｂ…第３孔部
７１…押圧カフ
７１ａ…ピン用孔
７２…背板
７２ａ…溝
７３…センシングカフ
７３ａ…ピン用孔
７４…引張カフ
７５…接合層
８１…空気袋（第１袋状構造体）
８１ａ…溶着部
８１ｂ…ブリッジ溶着部
８２…被接合部
８３…流路体
８３ａ…溶着部
８４…接続部
８６…シート部材
８６ａ…第１シート部材
８６ｂ…第２シート部材
８６ｂ１…開口
８６ｃ…第３シート部材
８６ｃ１…開口
８６ｄ…第４シート部材
８６ｄ１…孔部
９１…空気袋（第２袋状構造体）
９１ａ…溶着部
９２…流路体
９２ａ…溶着部
９３…接続部
９４…接合代
９４ａ…接合部
９６…シート部材
９６ａ…第５シート部材
９６ｂ…第６シート部材
９６ｂ１…孔部
１０１…空気袋
１０１ａ…溶着部
１０１ｂ…ブリッジ溶着部
１０２…被接合部
１０２ａ…逃げ部
１０３…接続部
１０４…切欠部
１０６…シート部材
１０６ａ…第７シート部材
１０６ｂ…第８シート部材
１０６ｂ１…開口
１０６ｃ…第９シート部材
１０６ｃ１…開口
１０６ｄ…第１０シート部材
１０６ｄ１…開口
１０６ｅ…第１１シート部材
１０６ｅ１…開口
１０６ｆ…第１２シート部材
１０６ｆ１…開口
１０６ｇ…第１３シート部材
１０６ｇ１…開口
１０６ｈ…第１４シート部材
１０６ｈ１…開口
１０６ｉ…第１５シート部材
１０６ｉ１…開口
１０６ｊ…第１６シート部材
１０６ｊ１…開口
１０６ｋ…第１７シート部材
１０６ｋ…シート部材
１０６ｋ１…開口
１０６ｌ…第１８シート部材
１０６ｌ１…孔部
１１１…第１外層
１１２…第１中間層
１１３…第２中間層
１１４…第２外層
２００…手首
２５０…カフユニット
２５１…第１構造体
２５２…第２構造体
２１０…動脈
３０１…位置決めピン
３０２…下金型
３０２ａ…電極部
３０２ｂ…空洞
３０５…接合代
３２０…下金型
３２１…位置決めピン
３２２…電極部
４００…冶具
４０１…載置面
４０２…位置決めピン
【図１】
2020146394.tif 000003
【図２】
2020146394.tif 000004
【図３】
2020146394.tif 000005
【図４】
2020146394.tif 000006
【図５】
2020146394.tif 000007
【図６】
2020146394.tif 000008
【図７】
2020146394.tif 000009
【図８】
2020146394.tif 000010
【図９】
2020146394.tif 000011
【図１０】
2020146394.tif 000012
【図１１】
2020146394.tif 000013
【図１２】
2020146394.tif 000014
【図１３】
2020146394.tif 000015
【図１４】
2020146394.tif 000016
【図１５】
2020146394.tif 000017
【図１６】
2020146394.tif 000018
【図１７】
2020146394.tif 000019
【図１８】
2020146394.tif 000020
【図１９】
2020146394.tif 000021
【図２０】
2020146394.tif 000022
【図２１】
2020146394.tif 000023
【図２２】
2020146394.tif 000024
【図２３】
2020146394.tif 000025
【図２４】
2020146394.tif 000026
【図２５】
2020146394.tif 000027
【図２６】
2020146394.tif 000028
【図２７】
2020146394.tif 000029
【図２８】
2020146394.tif 000030
【図２９】
2020146394.tif 000031
【図３０】
2020146394.tif 000032
【図３１】
2020146394.tif 000033
【図３２】
2020146394.tif 000034
【図３３】
2020146394.tif 000035
【図３４】
2020146394.tif 000036
【図３５】
2020146394.tif 000037
【図３６】
2020146394.tif 000038
【図３７】
2020146394.tif 000039
【図３８】
2020146394.tif 000040
【図３９】
2020146394.tif 000041
【図４０】
2020146394.tif 000042
【図４１】
2020146394.tif 000043
【図４２】
2020146394.tif 000044
【図４３】
2020146394.tif 000045
【図４４】
2020146394.tif 000046
【図４５】
2020146394.tif 000047
【図４６】
2020146394.tif 000048
【図４７】
2020146394.tif 000049
【図４８】
2020146394.tif 000050
【図４９】
2020146394.tif 000051
【図５０】
2020146394.tif 000052
【図５１】
2020146394.tif 000053
【図５２】
2020146394.tif 000054
【図５３】
2020146394.tif 000055